(57)【特許請求の範囲】
【請求項１】
エマルション中で粒子を調製する方法であって、前記粒子は、前記粒子上に配置された有機官能性を有し、前記方法は、
Ａ．少なくとも２つの不飽和炭素−炭素部分を有する第１の反応物を提供する工程と、
Ｂ．少なくとも２つのＳｉ−Ｈ部分を有する第２の反応物を提供する工程であって、ただし、最低５つの反応性基が存在し、かつ／又は前記第１の反応物の前記不飽和炭素−炭素部分及び第２の反応物の前記Ｓｉ−Ｈ部分の数の合計が少なくとも５であり、かつ／又は前記第１の反応物の前記不飽和炭素−炭素部分若しくは前記第２の反応物の前記Ｓｉ−Ｈ部分のうちの少なくとも１つがペンダントであることを条件とする工程と、
Ｃ．ケイ素原子及び前記ケイ素原子に結合した縮合反応性基を有し、かつまた不飽和炭素−炭素部分及び／又はＳｉ−Ｈ部分を有する、第３の反応物を提供する工程と、
Ｄ．ヒドロシリル化触媒を提供する工程と、
Ｅ．極性液体を提供する工程と、
Ｆ．前記第１、第２及び第３の反応物を、前記ヒドロシリル化触媒及び前記極性液体の存在下で組み合わせてエマルションを形成する工程であって、前記第１、第２及び第３の反応物がヒドロシリル化反応によって反応し、架橋ネットワークを有する粒子を前記エマルション中で形成し、前記縮合反応性基が前記粒子上に配置され、かつ前記粒子が前記極性液体中に配置される工程と、
Ｇ．シランを前記粒子に加える工程であって、前記シランが有機部分及び縮合脱離基を有し、その結果、前記粒子の前記縮合反応性基が縮合反応によって前記シランの前記縮合脱離基と反応し、前記粒子上に配置された前記有機官能性を有する前記粒子を形成する工程と、を含む、方法。
【請求項２】
前記第１、第２及び第３の反応物を組み合わせる前記工程が、前記第１、第２及び第３の反応物の前記組み合わせを転相し、前記エマルションを形成することを更に含む、請求項１に記載の方法。
【請求項３】
前記第３の反応物が、ＨＳｉ（ＣＨ３）２ＯＳｉ（ＣＨ３）２ＣＨ２ＣＨ２Ｓｉ（ＯＣＨ３）３又はＨ２Ｃ＝ＣＨＳｉ（ＯＣＨ３）３である、請求項１又は２に記載の方法。
【請求項４】
前記縮合反応性基が、−Ｓｉ（ＯＲ）基（式中、Ｒは１〜１４個の炭素原子を有する有機基である）である、請求項１〜３のいずれか一項に記載の方法。
【請求項５】
前記シランの前記有機部分が、窒素又は硫黄を含む、請求項１〜４のいずれか一項に記載の方法。
【請求項６】
請求項１〜５のいずれか一項に記載の方法から形成される、架橋粒子を含む、パーソナルケア組成物。
【発明の詳細な説明】
【背景技術】
【０００１】
関連出願の相互参照
本出願は、２０１４年１２月１９日出願の米国特許仮出願第６２／０９４，６０５号に対する利益を主張するものであり、この内容は参照により本明細書に組み込まれる。
【技術分野】
【０００２】
本開示は、概して、粒子上に配置された有機官能性を有する粒子を調製する方法に関する。より具体的には、この方法はエマルション、ヒドロシリル化反応及び縮合反応を利用し、有機官能性を含む架橋粒子を形成する。
【０００３】
多くの有機化合物が、典型的なヒドロシリル化触媒に対する触媒毒効果のため、ヒドロシリル化反応に利用できないことが公知である。例えば、窒素化合物、アミン、第四級アンモニウム化合物及び硫黄化合物は、白金ヒドロシリル化触媒に対する既知の触媒毒及び阻害物質である。これらの化合物を使用すると、ヒドロシリル化反応の速度を低下させる、又は、反応の進行を阻止する場合もある。この理由により、ヒドロシリル化によって、様々な有機置換基又は有機部分によって官能化されるシリコーンを形成するのは困難な場合がある。したがって、改善の余地がある。
【図面の簡単な説明】
【０００４】
本開示の他の利点は容易に理解されると考えられ、下記の「発明を実施するための形態」を参照し、添付の図面と併せて考慮することによってより良く理解される。
【０００５】
【図１】本開示の方法の１つの非限定的な実施形態を示す反応スキームである。
【図２】本開示の方法の追加の非限定的な実施形態を示す別の反応スキームである。
【図３Ａ】本開示の方法の非限定的な実施形態の第１の部分を示す追加の反応スキームである。
【図３Ｂ】本開示の方法の非限定的な実施形態の第２の部分を示す更なる反応スキームである。
【発明の概要】
【０００６】
本開示は、エマルション中で粒子を調製する方法を提供し、粒子は、粒子上に配置された有機官能性を有する。本方法は、少なくとも２つの不飽和炭素−炭素部分を有する第１の反応物を提供する工程と、少なくとも２つのＳｉ−Ｈ部分を有する第２の反応物を提供する工程とを含み、ただし、第１の反応物の不飽和炭素−炭素部分又は第２の反応物のＳｉ−Ｈ部分のうちの少なくとも１つがペンダントであることを条件とする。本方法はまた、ケイ素原子及びケイ素原子に結合した縮合反応性基を有し、かつ不飽和炭素−炭素部分及び／又はＳｉ−Ｈ部分を有する、第３の反応物を提供する工程と、ヒドロシリル化触媒を提供する工程と、極性液体を提供する工程とを含む。本方法は、第１、第２及び第３の反応物を、ヒドロシリル化触媒及び極性液体の存在下で組み合わせてエマルションを形成する工程であって、第１、第２及び第３の反応物がヒドロシリル化反応によって反応し、架橋ネットワークを有する粒子をエマルション中で形成し、縮合反応性基が粒子上に配置され、かつ粒子が極性液体中に配置される工程を更に含む。更に、本方法は、シランを粒子に加える工程であって、シランが有機部分及び縮合脱離基を有し、その結果、粒子の縮合反応性基が縮合反応によってシランの縮合脱離基と反応し、粒子上に配置された有機官能性を有する粒子を形成する工程を含む。
【発明を実施するための形態】
【０００７】
本開示は、粒子上に配置された有機官能性を有する粒子と、極性連続相及びこの極性連続相中に分散された粒子を含む分散体と、粒子自体とを調製する方法を提供する。それぞれにつき、以下に、より詳細に説明する。
【０００８】
シリコーン粒子の調製方法：
第１の反応物の提供：
シリコーン粒子を調製する方法（以下「方法」と言う）は、少なくとも２つの不飽和炭素−炭素部分を有する第１の反応物を提供する工程を含む。提供する工程は特に限定されず、代わりに、供給する、購入する、送達する、利用可能とする等と記述することができる。第１の反応物は、典型的には、下記に、より詳細に説明する、反応器又は他の反応槽に提供される。
【０００９】
第１の反応物はまた、特に限定されず、有機物又は無機物であり得る。第１の反応物は有機物であり得る（例えば、かつケイ素原子を含まない）、シラン若しくはシロキサン又はこれらの組み合わせであり得る、あるいは無機物であり、かつ依然として不飽和炭素−炭素部分を含み得る。第１の反応物は、２つ以上の不飽和炭素−炭素部分を有してもよい。化合物の組み合わせもまた利用することができ、ここで、この組み合わせの１つ以上の化合物がそれぞれ独立して単一の不飽和炭素−炭素部分を含み、かつ組み合わせの１つ以上の他の化合物がそれぞれ独立して２つ以上の不飽和炭素−炭素部分を含む。
【００１０】
少なくとも２つの不飽和炭素−炭素部分のそれぞれ（又は各不飽和炭素−炭素部分）は、独立してアルキニル部分（すなわち、炭素−炭素三重結合；Ｃ≡Ｃ）又はアルケニル部分（すなわち、炭素−炭素二重結合；Ｃ＝Ｃ）であり得る。例えば、第１の反応物は、１つ以上のアルキニル部分及び１つ以上のアルケニル部分を同時に含んでもよい。あるいは、第１の反応物は、２つ以上のアルケニル部分を含み、かつアルキニル部分を含まなくてもよい。更に、第１の反応物は、２つ以上のアルキニル部分を含み、かつアルケニル部分を含まなくてもよい。
【００１１】
一実施形態において、第１の反応物は、有機物である。他の一実施形態において、第１の反応物は、３、４、５、６、７、８、９、１０、１１又は１２個の炭素原子を有するアルケンから選択される。様々な実施形態において、第１の反応物は、ヘキサジエン若しくはオクタジエン又はこれらの組み合わせである。
【００１２】
あるいは、第１の反応物は、シラン又はシロキサンであってもよい。更に他の実施形態において、第１の反応物はシロキサン架橋剤である。他の一実施形態において、第１の反応物は、ビニル基又はアリル基等の不飽和有機基を２つ以上有するシロキサンである。更に他の一実施形態において、第１の反応物は、Ｓｉ（ＯＳｉ（ＣＨ３）２ＣＨ＝ＣＨ２）４である。あるいは、第１の反応物は、Ｓｉ（ＣＨ＝ＣＨ２）４、ＣＨ３Ｓｉ（ＣＨ＝ＣＨ２）３、（ＯＳｉＣＨ３ＣＨ＝ＣＨ２）ｎ（式中、ｎは３〜６である）及び／又はＨ２Ｃ＝ＣＨＭｅ２ＳｉＯＳｉＭｅ２ＣＨ＝ＣＨ２であってもよい。第１の反応物はまた、−（ＯＳｉＭｅ２）ｘ（ＯＳｉＭｅＣＨ＝ＣＨ２）ｙ−（式中、ｘは１より大きく、かつ１，０００未満、例えば〜１０であり、かつｙは２より大きく、かつ１０，０００未満、例えば〜１００である）であってもよい。第１の反応物はまた、ケイ素原子上のトリメチル基、例えば（ＣＨ３）３Ｓｉ等の、当該技術分野において既知の任意のエンドキャップ部分によってエンドキャップすることもできる。
【００１３】
第１の反応物が化合物の組み合わせである場合は、それぞれが独立して上記のとおりであってもよい。少なくとも２つの不飽和炭素−炭素部分のそれぞれは、第１の反応物上の末端位又は内部（ペンダント）位に配置されていてもよい。あるいは、第１の反応物は、２つ以上の不飽和炭素−炭素部分が存在するため、架橋剤であると記述することができる。しかしながら、下記のとおり、最低５つの反応性基が存在し、かつ／又は第１の反応物の不飽和炭素−炭素部分及び第２の反応物のＳｉ−Ｈ部分の数の合計が少なくとも５であり、かつ／又は不飽和炭素−炭素部分若しくは第２の反応物のＳｉ−Ｈ部分のうちの少なくとも１つは、架橋が形成できるように、ペンダントでなくてはならない。換言すれば、反応性部分の全てが末端であると、直鎖生成物が形成し、架橋生成物ではなくなってしまうため、反応性部分の全てが末端となることはできない。
【００１４】
第１の反応物は、下記のとおり、典型的には、第２の反応物１００重量部当たり、０．１〜１．０、１〜１０又は１０〜１００重量部の量で提供される。第１の反応物が化合物の組み合わせである場合、組み合わせの総重量は、典型的には、すぐ上で記載したとおりの量で存在する。更なる実施形態において、上記のいずれかの１つ以上の値以内又は値の間の、整数及び分数の両方の、任意の値又は値の範囲が企図される。
【００１５】
第２の反応物の提供：
方法はまた、少なくとも２つのＳｉ−Ｈ部分を有する第２の反応物を提供する工程を含む。提供する工程は、上記のとおりであってもよい、又は、異なってもよい。第２の反応物は、第２の反応物中に存在するケイ素原子がＳｉ−Ｈ部分のもののみであるような、例えば、少なくとも２つのＳｉ−Ｈ部分を有する有機化合物であってもよい。あるいは、第２の反応物は、少なくとも２つのＳｉ−Ｈ部分の一部であってもよい、又は、一部でなくてもよい、ケイ素原子を２個より多く含んでもよい。あるいは、第２の反応物は、シラン、シロキサン又はこれらの組み合わせであってもよく、Ｓｉ−Ｈ部分を有する。
【００１６】
第２の反応物は、２つ以上のＳｉ−Ｈ部分を有する。化合物の組み合わせもまた利用することができ、ここで、この組み合わせの１つ以上の化合物がそれぞれ独立して単一のＳｉ−Ｈ部分を含み、かつ組み合わせの１つ以上の他の化合物がそれぞれ独立して少なくとも２つのＳｉ−Ｈ部分を含む。
【００１７】
少なくとも２つのＳｉ−Ｈ部分のそれぞれは、第２の反応物が直鎖ポリマーである場合、第２の反応物上の末端位又は内部（ペンダント）位に配置されていてもよい。各Ｓｉ−Ｈ部分は、末端位又は内部（ペンダント）位に配置されていてもよい。しかしながら、下記のとおり、最低５つの反応性基が存在し、かつ／又は第１の反応物の不飽和炭素−炭素部分及び第２の反応物のＳｉ−Ｈ部分の数の合計が少なくとも５であり、かつ／又は不飽和炭素−炭素部分若しくは第２の反応物のＳｉ−Ｈ部分のうちの少なくとも１つは、架橋が形成できるように、ペンダントでなくてはならない。換言すれば、反応性部分の全てが末端であると、直鎖生成物が形成し、架橋生成物ではなくなってしまうため、反応性部分の全てが末端となることはできない。少なくとも２つの不飽和炭素−炭素部分及び少なくとも２つのＳｉ−Ｈ部分によって、架橋が形成される。
【００１８】
様々な実施形態において、第２の反応物は、Ｈ（ＣＨ３）２Ｓｉ（ＯＳｉ（ＣＨ３）２）ｎＯＳｉ（ＣＨ３）２Ｈ（式中、ｎは５〜１，０００である）等のジメチル水素末端のポリシロキサン（液体）である。あるいは、第２の反応物は、（ＯＳｉＭｅＨ）ｘ（ＯＳｉＭｅ２）ｙ（式中、ｘは１より大きく、かつ１，０００未満、例えば〜１０であり、かつｙは２より大きく、かつ１０，０００未満、例えば〜１００である）等のメチル水素ポリシロキサンである。第２の反応物はまた、ケイ素原子上のトリメチル基、例えば（ＣＨ３）３Ｓｉ等の、当該技術分野において既知の任意のエンドキャップ部分によってエンドキャップすることもできる。
【００１９】
一実施形態において、第１の反応物は、平均で少なくとも２つのアルケニル基を有するオルガノポリシロキサン又は有機化合物（ケイ素原子を含まない）であり、かつ第２の反応物は、平均で少なくとも２個のケイ素結合水素原子を有する（しかし、他のケイ素原子は含まない）オルガノポリシロキサン又は有機化合物である。
【００２０】
第２の反応物は、第１の反応物１重量部当たり、１０００〜１００又は１００〜１０重量部の量で提供される。第２の反応物が化合物の組み合わせである場合、組み合わせの総重量は、典型的には、すぐ上で記載したとおりの量で存在する。更なる実施形態において、上記のいずれかの１つ以上の値以内又は値の間の、整数及び分数の両方の、任意の値又は値の範囲が企図される。
【００２１】
第３の反応物の提供：
方法はまた、ケイ素原子及びケイ素原子に結合した縮合反応性基を有し、かつ不飽和炭素−炭素部分及び／又はＳｉ−Ｈ部分を有する、第３の反応物を提供する工程を含む。一実施形態において、第３の反応物は、不飽和炭素−炭素部分及びＳｉ−Ｈ部分の両方を有する。他の一実施形態において、不飽和炭素−炭素部分及びＳｉ−Ｈ部分の両方は存在せず、すなわち、この実施形態においては、第３の反応物は、両方の種類の部分は含まず、これらのどちらか１つのみを含む。提供する工程は、上記のとおりであってもよい、又は、異なってもよい。
【００２２】
第３の反応物はまた、特に限定されず、連鎖停止剤として作用する場合がある。連鎖停止剤である場合、第３の反応物は不飽和炭素−炭素部分又はＳｉ−Ｈ部分を、１つを超えて含むことはできない。換言すれば、このような一実施形態においては、第３の反応物は１つの不飽和炭素−炭素部分のみ又は１つのＳｉ−Ｈ部分のみを含んでもよいが、不飽和炭素−炭素部分及びＳｉ−Ｈ部分の両方を含むことはできない。連鎖停止剤である場合、第３の反応物は、２つ以上の不飽和炭素−炭素部分、２つ以上のＳｉ−Ｈ部分、又は２つ以上の不飽和炭素−炭素部分及び２つ以上のＳｉ−Ｈ部分を含むことはできない。単一の不飽和炭素−炭素部分は、末端又はペンダントであってもよい。単一のＳｉ−Ｈ部分は、末端又はペンダントであってもよい。しかしながら、代替例において、第３の反応物は、不飽和炭素−炭素部分及びＳｉ−Ｈ部分、又は１つを超える炭素−炭素部分及び／若しくは１つを超えるＳｉ−Ｈ部分を有する架橋剤であると記述することができる。
【００２３】
第３の反応物の不飽和炭素−炭素部分又はＳｉ−Ｈ部分は、第１の反応物に関して上述したもののいずれかであってもよい。しかしながら、第３の反応物の不飽和炭素−炭素部分又はＳｉ−Ｈ部分は、第１の反応物及び第２の反応物の上記のものと同一であってもよい、又は、異なってもよい。
【００２４】
第３の反応物の縮合反応性基は、当該技術分野において認識されるように、この基が縮合反応に関与することができ、第３の反応物のケイ素原子に結合していることを除き、特に限定されない。縮合反応性基に結合したケイ素原子は、その縮合反応性基が利用される場合、Ｓｉ−Ｈ基のケイ素原子とは同一ではない。例えば、縮合反応性基（又は脱離基）は、アルコキシ基、オキシム基、カルボキシ基、アセトキシ基、アルキレンオキシ基、アミン基、アミノオキシ基又はアミド基であってもよい。あるいは、縮合反応性基は、当業者によって、縮合反応において機能することができる、ケイ素上の脱離基として許容できるものと認識される、任意の基であってもよい。
【００２５】
一実施形態において、第３の反応物は、式：
ＸｍＲ’ｎＳｉ（ＯＲ）１−３
（式中、ｍは１〜１０であり、Ｒ’及びＲのそれぞれは独立して１〜１２個の炭素原子を有する有機基であり、Ｘは独立して不飽和炭素−炭素部分又はＳｉ−Ｈ部分である）を有する。Ｒ’及びＲのそれぞれは、独立して１、２、３、４、５、６、７、８、９、１０、１１又は１２個の炭素原子をそれぞれ有する有機基とすることができる。
【００２６】
他の実施形態において、第３の反応物は以下の式：ＣＨ２＝ＣＨＳｉ（Ｍｅ）２ＯＳｉ（Ｍｅ）２ＲＳｉ（ＯＭｅ）３、ＳｉＨＲＳｉ（ＯＭｅ）３又は（ＯＳｉＭｅＨ）ｘ（ＯＳｉＭｅＯＲ）ｙ（式中、ｘ＋ｙは３〜８であり、かつ１分子当たり少なくとも１つのＳｉ−Ｈ及び１つのＳｉＯＲが存在し、かつＲは１、２、３、４、５、６、７、８、９、１０、１１又は１２個の炭素原子を有する有機基である）のうちの１つを有する。様々な実施形態において、第３の反応物は環状であってもよく、同一分子内にＳｉ−Ｈ及びＳｉＯＭｅ（又はＳｉＯＲ）を有する。他の実施形態において、第３の反応物は全て（ＯＳｉＭｅＨ）ｎ（式中、Ｓｉ−ＨのいくつかはＳｉＯＭｅによって置換されており、かつｎは３〜８である）である。
【００２７】
更に、第３の反応物は、それぞれが前述の式によって規定される、２つ以上の化合物を含む場合がある。他の実施形態において、第３の反応物は、Ｈ２Ｃ＝ＣＨＳｉ（ＯＣＨ３）３、ＨＭｅ２Ｓｉ（ＣＨ２）２ＳｉＭｅ２ＯＳｉ（ＯＭｅ）３若しくはＨＳｉ（ＯＣＨ２ＣＨ３）３又はこれらの組み合わせである。
【００２８】
更に他の一実施形態において、第３の反応物の縮合反応性基は、アルコキシ基であると、更に定義される。あるいは、縮合反応性基は、−Ｓｉ（ＯＲ）基（式中、Ｒは１〜１２個の炭素原子、すなわち、１、２、３、４、５、６、７、８、９、１０、１１若しくは１２個の炭素原子又はこれらの値の任意の範囲の炭素原子を有する有機基である）であってもよい。
【００２９】
また、第３の反応物の組み合わせを利用してもよく、ここで、組み合わせの１つ以上の化合物がそれぞれ独立して１つの不飽和炭素−炭素部分又は１つのＳｉ−Ｈ部分を含み、かつその他の化合物が、これらを１つを超えて含む。
【００３０】
第３の反応物は、典型的には、第１の反応物１００重量部当たり、０．０１〜０．１、０．１〜１又は１〜５０重量部の量で提供される。第３の反応物が化合物の組み合わせである場合、組み合わせの総重量は、典型的には、すぐ上で記載したとおりの量で存在する。更なる実施形態において、上記のいずれかの１つ以上の値以内又は値の間の、整数及び分数の両方の、任意の値又は値の範囲が企図される。
【００３１】
ヒドロシリル化触媒の提供：
方法はまた、ヒドロシリル化触媒を提供する工程を含む。提供する工程は、上記と同一であってもよい、又は、異なってもよい。ヒドロシリル化触媒は、当該技術分野において既知の任意のものであってもよく、水性エマルションとして利用してもよい。様々な実施形態において、ヒドロシリル化触媒としては、白金、ロジウム、イリジウム、パラジウム若しくはルテニウム、又はこれらの組み合わせが挙げられる。ヒドロシリル化触媒は、例えば、微細な白金粉末、白金黒、塩化白金酸、塩化白金酸のアルコール溶液、塩化白金酸のオレフィン錯体、塩化白金酸とアルケニルシロキサンとの錯体、又は前述の白金触媒を含む熱可塑性樹脂であってもよい。他の一実施形態において、ヒドロシリル化触媒は、カールシュテット触媒（Ｋａｒｓｔｅｄｔ’ｓ  ｃａｔａｌｙｓｔ）若しくはスパイアー触媒（Ｓｐｅｉｅｒ’ｓ  ｃａｔａｌｙｓｔ）又はこれらの組み合わせ等の白金ビニルシロキサン錯体である。ヒドロシリル化触媒は、単一の触媒又は２種以上の触媒の組み合わせでもよい。換言すれば、１種、１種より多い、又は少なくとも１種のヒドロシリル化触媒を利用してもよい。
【００３２】
ヒドロシリル化触媒は、典型的には、総粒子重量に基づいて、１００万部当たり、白金元素として計算した白金１〜１００、１〜１０又は１０〜１００部の量で提供される。更なる実施形態において、上記のいずれかの１つ以上の値以内又は値の間の、整数及び分数の両方の、任意の値又は値の範囲が企図される。
【００３３】
極性液体の提供：
方法は、極性液体を提供する工程を更に含む。典型的には、極性液体は、第１、第２、及び第３の反応物が、典型的には極性溶媒に「溶解」しないという点で、「溶媒」ではない。極性液体は特に限定されないが、親水性液体、極性非プロトン性液体又は極性プロトン性液体であると記述することができる。典型的には、用語「親水性」は、当該技術分野において理解されるとおり、極性液体が極性かつ／又は（非）プロトン性であり、かつ水に対して親和性であることを記述する。極性液体は、水、アルコール、極性プロトン性液体、極性非プロトン性液体及びこれらの組み合わせであり得る、これらを含み得る、これらから本質的になり得る、又は、これらからなり得る。極性液体の様々な非限定的な例としては、水、アルコール、テトラヒドロフラン（ＴＨＦ）、酢酸エチル、アセトン、ジメチルホルムアミド（ＤＭＦ）、アセトニトリル、ジメチルスルホキシド（ＤＭＳＯ）、ギ酸、ｎ−ブタノール、イソプロパノール（ＩＰＡ）、ニトロメタン、エタノール、メタノール、酢酸及びこれらの組み合わせが挙げられる。様々な実施形態において、極性液体は、メタノール、エタノール、グリコール、グリコールエーテル、水及びこれらの組み合わせから選択される。あるいは、極性液体は、メタノール、エタノール、プロパノール、ブタノール及び／又は任意の他のアルカン系アルコール溶媒から選択してもよい。様々な実施形態において、極性液体は、水若しくはメタノール若しくはエタノール若しくはプロパノール若しくはブタノール若しくはグリコール若しくはアルカン系アルコール溶媒又はこれらの２種以上の組み合わせである。水は特に限定されず、水道水、井戸水、飲料水又は非飲料水等でよい。水は、精製されていてもよい、又は、精製されていなくてもよい。用語「から本質的になる（ｃｏｎｓｉｓｔｉｎｇ  ｅｓｓｅｎｔｉａｌｌｙ  ｏｆ）」は、連続相（又は水自体）が、１０、９、８、７、６、５、４、３、２、１、０．５又は０．１重量％未満の疎水性液体又は非極性液体を含むことを記述する。様々な実施形態において、１種、１種より多い、又は少なくとも１種の極性液体を使用してもよい。
【００３４】
極性液体は、典型的には、以下に詳述するように、連続相１００重量部当たり、２０〜８０、２５〜７５、３０〜７０、３５〜６５、４０〜６０、４５〜５５又は約５０重量部の量で提供される。更なる実施形態において、上記のいずれかの１つ以上の値以内又は値の間の、整数及び分数の両方の、任意の値又は値の範囲が企図される。
【００３５】
第１、第２及び第３の反応物の組み合わせ：
方法は、第１、第２及び第３の反応物を組み合わせる工程を更に含む。より典型的には、この工程は、第１、第２及び第３の反応物を、ヒドロシリル化触媒及び極性液体と組み合わせることであると、更に定義される。上で最初に紹介したとおり、第１、第２及び第３の反応物は、典型的には、反応器又は他の反応槽中に提供又は導入される。第１、第２及び第３の反応物は、ヒドロシリル化触媒及び極性液体の存在下で組み合わされ、エマルションを形成する。ここで、極性液体は連続相であり、第１、第２及び第３の反応物は分散相である。典型的には、このエマルションは、水中油型エマルション（すなわち、ｏ／ｗエマルション）であると記述される。
【００３６】
第１、第２及び第３の反応物は、ヒドロシリル化触媒及び極性液体と共に、それぞれ独立して、連続方式又はバッチ方式で、反応槽中で組み合わせてもよい、又は、反応槽中に導入してもよい。第１、第２及び第３の反応物は、ヒドロシリル化触媒及び極性液体と共に、任意の順番で、かつ１つ以上の別個の工程で組み合わせてもよい。又は、第１、第２及び第３の反応物は、ヒドロシリル化触媒及び極性液体と共に、それぞれお互いの１つ以上のいずれかと同時に組み合わせてもよい。
【００３７】
一実施形態において、第１、第２及び第３の反応物を組み合わせる工程は、第１、第２及び第３の反応物の組み合わせを（例えば、ヒドロシリル化触媒及び極性液体の存在下で）転相し、エマルションを形成することを更に含む。しかしながら、エマルションを形成する工程は限定されず、更に又は代わりに、せん断を加えること、混合、渦動及び／若しくは当該技術分野において既知の任意の他の方法を含み得る。
【００３８】
本方法はまた、界面活性剤を提供する工程、及び／又は界面活性剤を第１、第２又は第３の反応物の１つ以上と、ヒドロシリル化触媒と、極性液体と、かつ／若しくはこれらのうちの任意の１つ以上と、逐次若しくは同時に組み合わせる工程を含んでもよい。界面活性剤は、非イオン性界面活性剤、カチオン性界面活性剤、アニオン性界面活性剤、両性界面活性剤及びこれらの組み合わせから選択することができる。好適な非イオン性界面活性剤としては、これらに限定されるものではないが、ゲルベ（Ｇｕｅｒｂｅｔ）アルコールアルコキシレート（又はこれらの誘導体）、アルキルフェノールアルコキシレート、エトキシ化及びプロポキシル化脂肪族アルコール、アルキルポリグルコシド及びヒドロキシアルキルポリグルコシド、ソルビタン誘導体、Ｎ−アルキルグルカミド、例えば、エチレンオキシド、プロピレンオキシド、及び／又はブチレンオキシドのブロックコポリマー等のアルキレンオキシドブロックコポリマー、ポリヒドロキシ及びポリアルコキシ脂肪酸誘導体、アミンオキシド、シリコーンポリエーテル、多糖類をベースとする様々なポリマー界面活性剤、ポリビニルアルコール及びポリアクリルアミドをベースとするポリマー界面活性剤、ポリオキシアルキレンコポリマー並びにこれらの組み合わせが挙げられる。
【００３９】
好適なカチオン性界面活性剤としては、これらに限定されるものではないが、例えば、ハロゲン化アルキルジメチルアンモニウム等のアンモニウム基を含む界面活性化合物、及び化学式ＲＲ’Ｒ’’Ｒ’’’Ｎ＋Ｘ−（式中、Ｒ、Ｒ’、Ｒ’’及びＲ’’’は独立して、アルキル基、アリール基、アルキルアルコキシ基、アリールアルコキシ基、ヒドロキシアルキル（アルコキシ）基及びヒドロキシアリール（アルコキシ）基の群から選択され、かつＸはアニオンである）を有する化合物が挙げられる。
【００４０】
好適なアニオン性界面活性剤としては、これらに限定されるものではないが、脂肪族アルコールサルフェート及びエトキシ化脂肪族アルコールのサルフェートが挙げられる。好適なアニオン性界面活性剤の更なる非限定的な例としては、アルカンスルホネート、直鎖アルキルベンゼンスルホネート、直鎖アルキルトルエンスルホネート、ジフェニルスルホネート及びジフェニルエーテルスルホネートが挙げられる。更にまた、アニオン性界面活性剤としては、オレフィンスルホネート及びジスルホネート、アルケンスルホネートとヒドロキシアルカンスルホネート又はジスルホネートとの混合物、アルキルエステルスルホネート、スルホン化ポリカルボン酸、アルキルグリセリルスルホネート、脂肪酸グリセロールエステルスルホネート、アルキルフェノールポリグリコールエーテルスルホネート、パラフィンスルホネート、アルキルホスフェート、アシルイソチオネート、アシルタウレート、アシルメチルタウレート、アルキルコハク酸、アルケニルコハク酸及びその対応するエステルとアミド、アルキルスルホコハク酸及び対応するアミド、スルホコハク酸のモノエステル及びジエステル、アシルサルコシネート、硫酸化アルキルポリグルコシド、アルキルポリグリコールカルボキシレート、ヒドロキシアルキルサルコシネート、並びにこれらの組み合わせを挙げることができる。更にまた、アクリル酸又はスルホン化ポリスチレン、及びこれらの組み合わせをベースにしたポリマーアニオン性界面活性剤も使用してよい。好適な両性界面活性剤としては、これらに限定されるものではないが、陰イオン基を含む第二級及び／又は第三級アミンの脂肪族誘導体、ベタイン誘導体、並びにこれらの組み合わせが挙げられる。
【００４１】
更に、界面活性剤は、独立して、脂肪族及び／又は芳香族のアルコキシル化アルコール、ＬＡＳ（直鎖アルキルベンゼンスルホネート）、パラフィンスルホネート、ＦＡＳ（脂肪族アルコールサルフェート）、ＦＡＥＳ（脂肪族アルコールエーテルサルフェート）、アルキレングリコール、トリメチロールプロパンエトキシレート、グリセロールエトキシレート、ペンタエリスリトールエトキシレート、ビスフェノールＡのアルコキシレート、４−メチルヘキサノール及び５−メチル−２−プロピルヘプタノールのアルコキシレート、並びにこれらの組み合わせを含んでもよく、そのものであってもよい。更に、界面活性剤は、直鎖若しくは分枝鎖アルキル基、直鎖若しくは分枝鎖アルケニル基、アルキルフェニル基、アルキレン基及び／又はこれらの組み合わせを含むアルキル多糖類を含んでもよい、又は、これらであってもよい。
【００４２】
１種以上の界面活性剤を、第１、第２及び第３の反応物の総重量（例えば、分散相の重量）に基づいて、０．０１〜２０、１〜１５、１〜１０、１〜５、５〜２０、５〜１５、５〜１０、１０〜２０、１０〜１５、０．０１〜５、０．０５〜５、０．１〜５、０．１〜４、０．１〜３、０．１〜２、０．１〜１、０．５〜５、０．５〜４、０．５〜３、０．５〜２、０．５〜１、１〜５、１〜４、１〜３、１〜２、２〜５、２〜４、２〜３、３〜５、３〜４又は４〜５重量％の量で使用してもよい。
【００４３】
組み合わせてエマルションを生成する際及びヒドロシリル化触媒の存在下で、第１、第２及び第３の反応物は周囲温度で反応することがある、又は、反応しないことがある。エマルションは、ヒドロシリル化反応を促進するため、又はヒドロシリル化反応を迅速化するため、加熱を必要とすることがある。あるいは、加熱が必要とされない、又は、所望されないことがある。例えば、エマルション、並びに／又は第１、第２及び第３の反応物若しくは極性液体のうちの１つ以上を、大気圧で室温（約２５℃）から２５０℃、あるいは室温から１５０℃、あるいは室温から１１５℃の温度まで加熱してもよい。反応物は、反応物を硬化（架橋）させるのに十分な長さの時間、例えば０．１〜３時間加熱することができる。
【００４４】
典型的には、ヒドロシリル化反応は、当該技術分野において一般に理解されているとおり、第１の反応物の不飽和炭素−炭素部分と第２の反応物のＳｉ−Ｈ部分との間で進行する。この反応は、架橋ネットワークを形成する。したがって、粒子はこの時点で架橋ネットワークを有する。架橋ネットワークは、架橋シリコーンネットワーク又は架橋有機（すなわち、非シリコーン）ネットワークであると更に記述することができる。
【００４５】
第３の反応物は、前述のヒドロシリル化反応によって形成される成長鎖を停止するための連鎖停止剤として作用してもよいし、又は、作用しなくてもよい。これらの反応のいずれか１つ以上が、同時に、又は、逐次に起こり得る。第３の反応物の縮合反応性基は、典型的には、第１、第２及び第３の反応物の前述のヒドロシリル化反応には関与しない。
【００４６】
第１、第２及び第３の反応物のヒドロシリル化反応の際に、粒子が形成される。換言すれば、第１、第２及び第３の反応物は、ヒドロシリル化触媒の存在下かつエマルション中で反応し、１つ以上のヒドロシリル化反応によって粒子を形成し、エマルション中で粒子を形成する。あるいは、粒子はスラリー中に存在してもよい。
【００４７】
様々な実施形態において、粒子は、典型的には、シリコーン粒子又はポリオルガノシロキサン粒子であると更に定義される。典型的には、第１、第２及び／又は第３の反応物がケイ素−酸素結合又はシロキサン結合を含む場合、粒子は、シリコーン粒子又はポリオルガノシロキサン粒子であると記述することができる。
【００４８】
しかしながら、粒子は、あるいはまた、特定の重量％又はモル％のケイ素を含む有機粒子であると記述することができる。典型的には、第１、第２及び第３の反応物が非常にわずかな重量％又はモル％のケイ素しか含まない場合、粒子はほとんど有機物となる。典型的には、第２の反応物は少なくとも２つのＳｉ−Ｈ部分を含むため、粒子は、若干の重量％又はモル％のケイ素を含まなくてはならない。換言すれば、第２の反応物のＳｉ−Ｈ部分により、若干のケイ素原子が存在するため、粒子は完全に有機物というわけではなく、かつケイ素を全く含まないわけではない。
【００４９】
この段階で、粒子は、あるいはまた、第１、第２及び第３の反応物のヒドロシリル化反応生成物であると記述することができる。粒子は、溶媒に不溶性だが、溶媒中で膨潤性であるようなエラストマーであると記述することができる。
【００５０】
前述の反応において形成された粒子は、粒子上に配置された縮合反応性基を有し、粒子は極性液体中に配置される。粒子が固体粒子の場合、極性液体中で粒子が形成される際、前述のエマルションは、極性液体が連続相であり、かつ（固体）粒子が連続層中に分散された分散相である、分散体であると記述するのが、より正確であり得る。しかしながら、粒子が固体ではない（例えばゲル又は液体である）場合、前述のエマルションは、極性液体が連続相であり、かつ（非固体、例えばゲル又は液体）粒子が連続層中に分散された分散相であるエマルションであると記述するのが、引き続き正確であり得る。
【００５１】
あるいは、本方法のこの段階で形成される粒子は、粒子のポリマーネットワークに化学的に結合されたＳｉ−アルコキシ基を含む、（シリコーンエラストマー又は有機ポリマー）粒子であると記述することができる。しかしながら、方法のこの段階で形成される粒子は更に官能化されるため、方法のこの段階で形成される前述の粒子は、最終的な粒子ではない。他の実施形態において、方法のこの工程によって形成された粒子は、−Ｓｉ（ＯＲ）ｎ基（式中、Ｒは、本明細書に記載のものであってもよく、又は、任意の有機部分であってもよく、かつｎは１〜６の数、すなわち、１、２、３、４、５又は６である）を有すると記述することができる。これらの基は、第１、第２及び第３の反応物の反応の際に形成されたポリマーネットワークに共有結合されていると記述することができる。
【００５２】
極性液体の除去：
本方法は、極性液体を粒子から除去する、又は、極性液体を粒子から分離する工程を、任意に含んでもよい。一実施形態において、極性液体がメタノール及び／又はエタノールである場合、極性液体は除去してもよい、又は、残存したままとしてもよい。本方法は、粒子を濾過する、乾燥する（ｄｒｙｉｎｇ）、噴霧乾燥する、凍結乾燥する、又は、乾燥する（ｄｅｓｉｃｃａｔｉｎｇ）工程を含んでもよい。あるいは、本方法は、極性液体を粒子から除去又は分離する工程を含まなくてもよい。
【００５３】
一実施形態において、極性液体は水であり、かつ方法は、水を粒子から除去し、かつ粒子を乾燥する工程を含む。他の一実施形態において、極性液体はメタノール及び／又はエタノールであり、かつ方法は、メタノール及び／又はエタノールを粒子から除去し、かつ粒子を乾燥する工程を含む。更に他の一実施形態において、極性液体はメタノール及び／又はエタノール（これらのそれぞれが水と組み合わされていてもよい）であり、かつ方法はメタノール及び／又はエタノールを除去する工程を含まない。代替の一実施形態において、極性液体は水であってもよく、かつ方法は水を除去する工程を含まない。換言すれば、粒子を極性液体中に残存させてもよい、又は、極性液体から除去してもよい。
【００５４】
極性液体の一部を除去してもよいこと、及び極性液体の一部を残存させたままにしてもよいこともまた、企図される。例えば、極性液体を除去する場合、任意の量で除去してもよい。例えば、極性液体の全体量を除去してもよい、又は、極性液体の全体量未満の任意の一部を除去してもよい。極性液体は、当該技術分野において既知の任意の機序によって除去してもよい。例えば、極性液体は、真空及び／又は濾過（例えば真空濾過）、蒸発、乾燥、オーブン中での加熱、遠心分離、噴霧乾燥、凍結乾燥等によって除去してもよい。
【００５５】
粒子のシランとの組み合わせ：
方法はまた、粒子をシランと組み合わせる工程を更に含む。粒子は、粒子が極性液体中に分散されたままで、又は、粒子が乾燥した、若しくは部分的に乾燥した形態で、シランと組み合わせてもよい。同様に、シランは、シランが固体、未希釈又は希釈された形態で、粒子と組み合わせてもよい。一実施形態において、シランは、シランを希釈し、粒子との組み合わせの効率を向上する、希釈剤又は溶媒と組み合わされる。希釈剤又は溶媒は特に限定されないが、典型的には、上記のような親水性液体又は極性液体である。様々な実施形態において、希釈剤又は溶媒は、メタノール若しくはエタノール若しくはグリコール若しくは水、又はこれらの組み合わせである。更に他の一実施形態において、希釈剤又は溶媒は、上記の極性液体のうちのいずれかである。粒子とシランとを組み合わせ、スラリーを形成し得ることもまた企図される。あるいは、粒子は、シランと組み合わせる前にスラリーの状態であってもよい。
【００５６】
粒子と組み合わされるシランは有機部分を有し、かつ縮合脱離基も有する。単一のシランを使用してもよい、又は、シランの組み合わせを使用してもよい。換言すれば、１種、１種より多い、又は少なくとも１種のシランが使用され得る。有機部分は当該技術分野において既知の任意のものであってよく、特に限定されない。様々な実施形態において、有機部分は１個以上の窒素原子、硫黄原子、酸素原子及び／又はリン原子を含む。有機部分は炭素原子を含むが、総数は限定されない。例えば、有機部分は、１〜４０、２〜３９、３〜３８、４〜３７、５〜３６、６〜３５、７〜３４、８〜３３、９〜３２、１０〜３１、１１〜３０、１２〜２９、１３〜２８、１４〜２７、１５〜２６、１６〜２５、１７〜２４、１８〜２３、１９〜２２、２０又は２１個の炭素原子を含み得る。有機部分は直鎖、分枝鎖若しくは環状（部分）であってもよい、又は、これらを含んでもよい、かつ芳香族若しくは非芳香族（部分）であってもよい、又は、これらを含んでもよい。様々な実施形態において、有機部分は、アルカン、アルケン、アルキン、カルボキシレート、ベンゼン、トルエン、ハロアルケン、アルコール（例えばヒドロキシル基）、ケトン、アルデヒド、ハロゲン化アシル、カーボネート、カルボキシレート、カルボン酸、エステル、過酸化物、エーテル、ヘミアセタール、ヘミケタール、アセタール、ケタール、オルトエステル、オルト炭酸エステル、アミド、アミン、イミン、イミド、イソシアネート、アジド、アゾ化合物、シアネート、ニトレート、ニトリル、ニトライト、ニトロ化合物、ニトロソ化合物、ピリジル基、チオール、スルフィド、ジスルフィド、スルホキシド、スルホン、スルフィン酸基、スルホン酸基、チオシアネート、チオン、チアール、ホスフィン、ホスホン酸基、ホスフェート、リン酸ジエステル、及びこれらの組み合わせから選択される。更なる実施形態において、有機部分は、アミノ基、第四級アンモニウム基、メルカプト基、ジスルフィド基及びテトラスルフィド基、並びにこれらの組み合わせから選択される。有機部分は、典型的には、粒子の総重量に基づいて、０．０１、０．１０、０．２５、０．５０、１、５、１０又は２５重量％で存在する。
【００５７】
あるいは、シランは、メトキシ官能性シラン及び／又はエトキシ官能性シランであってもよい。一実施形態において、シランは窒素を含む。他の一実施形態において、シランは硫黄を含む。更なる一実施形態において、シランは窒素及び硫黄を含む。
【００５８】
一実施形態において、シランは式Ｒ１Ｓｉ（Ｒ２Ｏ）３（式中、Ｒ１は独立して、窒素又は硫黄等の極性化合物を含有する有機部分からなる群から選択され、かつＲ２は独立して、水素、メチル及びメトキシ及びエトキシ及びアルコキシからなる群から選択される）を有し得る。
【００５９】
他の実施形態において、シランはｉ−Ｃ４Ｈ９Ｓｉ（ＯＭｅ）３、ｎ−Ｃ８Ｈ１７Ｓｉ（ＯＥｔ）３、（ＭｅＯ）３Ｓｉ（ＣＨ２）３ＮＨ（ＣＨ２）２ＮＨ２、（ＭｅＯ）３Ｓｉ（ＣＨ２）３ＮＨ２、（ＥｔＯ）３Ｓｉ（ＣＨ２）３ＮＨ２、（ＭｅＯ）３Ｓｉ（ＣＨ２）３ＮＭｅ２、（ＭｅＯ）３Ｓｉ（ＣＨ２）３Ｎ＋Ｍｅ２Ｃ１８Ｈ３７−Ｃｌ、（ＭｅＯ）３Ｓｉ（ＣＨ２）３Ｎ＋Ｍｅ３−Ｃｌ及び（ＭｅＯ）３Ｓｉ（ＣＨ２）３ＳＨ、並びにこれらの組み合わせから選択される。
【００６０】
シランの縮合脱離基はまた、当該技術分野において理解されるとおり、縮合反応中に脱離基となれることを除き、特に限定されない。例えば、縮合脱離基は、アルコキシ基、オキシム基、カルボキシ基、アセトキシ基、アルキレンオキシ基、アミン基若しくはアミド基、又はこれらの組み合わせであってもよい。縮合脱離基は、上記の縮合反応性基と同一であってもよい、又は、異なってもよい。縮合脱離基は典型的には、粒子の総重量に基づいて、０．１〜１０重量％で存在する。
【００６１】
粒子とシランとの組み合わせの際に、粒子の縮合反応性基は、縮合反応によってシランの縮合脱離基と反応し、粒子上に配置された有機官能性を有するシリコーン粒子を形成する。縮合反応は、典型的には、２つ以上の反応物が単一の主生成物をもたらし、水の生成、又は例えば、アンモニア、エタノール、酢酸、硫化水素等のいくつかの他の小分子の生成を伴う、段階的な反応である。典型的には、縮合反応の機構は、連続した付加反応及び脱離反応を含む。しかしながら、本開示の縮合反応は特に限定されず、当該技術分野において既知の任意の機構によって進行することができる。典型的には、この反応は、室温で、又は、加熱によって、例えば、室温（約２５℃）〜１５０℃又はこれらの間の任意の値若しくは範囲で起こる。
【００６２】
縮合反応に対して、縮合触媒を使用してもよい、又は省略してもよい。例えば、縮合触媒は、熱と共に、又は、加熱せずに、使用してもよい。更に、熱だけを使用して、縮合反応を実施してもよい。
【００６３】
例えば、本方法はまた、縮合触媒を、粒子の縮合反応性基が縮合反応によってシランの縮合脱離基と反応するよう、第１、第２及び／又は第３の反応物に、並びに／又はエマルション中の粒子に、並びに／又は、シランに加える工程を含んでもよい。この反応は、任意の既知の縮合反応によって進行することができる。縮合触媒及びヒドロシリル化触媒は、一緒に、又は、一方を他方の後に加えてもよい。例えば、縮合触媒及びヒドロシリル化触媒は、ヒドロシリル化の前に組み合わせ、並びに／又は、第１、第２及び／若しくは第３の反応物に加えてもよい。一実施形態において、縮合触媒は、ヒドロシリル化の際に存在し（しかしながら不活性である）、後に、縮合反応を触媒する。
【００６４】
同様に、縮合触媒は特に限定されず、当該技術分野において既知の任意のものであってもよい。様々な実施形態において、縮合触媒は、ジブチルスズジラウレート、ジブチルスズジアセテート、ジメチルスズジネオデカノエート、第一スズオクトエート、第一スズオレエート、第一スズネオデカノエート、ジオクチルスズジラウレート、第一スズビス−２−エチルヘキサノエート、鉄オクトエート、亜鉛オクトエート等、及びこれらの組み合わせである。あるいは、テトラメチルグアニジン等のグアニジン、及びトリエチルアンモニウムアセテート等のカルボン酸のアミン塩もまた、使用することができる。本明細書において使用される縮合触媒の量もまた、特に限定されない。様々な実施形態において、縮合触媒は、粒子の１００重量部当たり、０．１〜１０、０．１〜１、１〜１０、０．１、０．２、０．３、０．４、０．５、０．６、０．７、０．８、０．９、１、２、３、４、５、６、７、８、９又は１０重量部の量で使用される。縮合反応は室温で進行し得るが、熱を加えてもよい。更なる実施形態において、上記のいずれかの１つ以上の値以内又は値の間の、整数及び分数の両方の、任意の値又は値の範囲が企図される。
【００６５】
他の一実施形態において、縮合触媒は水とのエマルションを形成し、エマルションは粒子に加えられる。
【００６６】
一実施形態において、縮合触媒は、例えば、上記のもののいずれか又は異なる希釈剤等の希釈剤中で希釈される。関連の実施形態において、縮合触媒を加える工程は、粒子を、希釈剤中で希釈された縮合触媒と組み合わせることと、更に定義される。希釈剤は特に限定されず、メタノール、エタノール、グリコール、水及びこれらの組み合わせから選択してもよい。
【００６７】
追加の実施形態：
本開示はまた、粒子を調製する方法を提供し、方法は、第１の反応物を提供し、第２の反応物を提供し、第３の反応物を提供し、ヒドロシリル化触媒を提供し、かつ極性液体を提供する、前述の工程を含む。しかしながら、この実施形態において、本方法は、粒子上に配置された有機官能性を有するシリコーン粒子を形成するための手段を含む。例えば、シリコーン粒子を形成するための手段は、上記のいずれか１つ以上の工程の全体又は部分、及び任意の組み合わせであってもよい。
【００６８】
架橋粒子
本開示の方法を使用して最終的に形成されるシリコーン粒子自体は、上記のとおり、粒子上に配置された有機官能性を有する。粒子は、あるいはまた、複数の粒子であると記述することができる。粒子は、固体、液体、又はエラストマー、例えば、当該技術分野において、固体及び液体の両方の特性を有するエラストマー化合物として既知のシリコーンゴムであってもよい。粒子は、エラストマーであると記述することができる。例えば、粒子は、有機溶媒中に溶解しない（又は当該技術分野において理解されるとおり、最小限可溶の）シリコーンゴムであると、更に定義することができる。シリコーンゴムはまた、１種以上の有機溶媒中で膨潤性であると記述することもできる。あるいは、シリコーン粒子は、ポリオルガノシロキサン粒子、又は、１種以上のポリオルガノシロキサン、若しくは１種以上のシリコーン、若しくは１種以上のシリコーンゴム等である、これらを含む、これらから本質的になる、若しくは、これらからなる粒子であると記述することができる。あるいは、シリコーン粒子は、前述の第１、第２及び第３の反応物のヒドロシリル化反応生成物である、これらを含む、これらから本質的になる、又は、これらからなる粒子であると記述することができる。様々な実施形態において、用語「から本質的になる」は、シリコーン粒子が、１種以上の有機ポリマー及び／又は非シリコーンポリマーを含まない、又は、これらを１０、９、８、７、６、５、４、３、２、１、０．５、０．１若しくは０．０５重量％未満含むことを記述する。
【００６９】
様々な実施形態において、シリコーン粒子は、シリコーンのコアと、コアに共有結合した有機部分とを有する。コアは、上記のように、液体又は固体であってもよい。コアは、固体又は中空であってもよい。典型的には、コアは、上記のような、第１、第２及び第３の反応物のヒドロシリル化反応生成物である、これらを含む、これらから本質的になる、又は、これらからなる。コアはこのヒドロシリル化反応生成物であってもよく、かつ任意の他の化合物をその中に含まなくてもよい。例えば、コアは、前述のヒドロシリル化反応生成物ではない任意の材料のいかなる内部のコアも含まない、固体のコアであると記述することができる。様々な実施形態において、用語「から本質的になる」は、コアが、１種以上の有機ポリマー及び／又は非シリコーンポリマーを含まない、又は、これらを１０、９、８、７、６、５、４、３、２、１、０．５、０．１若しくは０．０５重量％未満含むことを記述する。
【００７０】
有機部分は、第３の反応物の縮合反応性基と前述のシランの縮合脱離基との縮合反応によって、シリコーンのコアに共有結合している。より具体的には、有機部分は、典型的には、コアの表面での反応のために利用可能であった（第３の反応物の）縮合反応性基の縮合反応から形成された共有結合によって、シリコーンのコアの表面に結合している。コア自体は、その中に有機部分の一部を含んでもよい。例えば、有機部分は、コアの表面に貫入してもよい、かつ／又は、コアの表面に対して外側にあってもよい。コアの内部はまた、縮合反応によって共有結合していない有機部分を含んでもよい。更に、コアの内部は、シランの縮合脱離基と反応しなかった、かつ／又は、シランの縮合脱離基に暴露されなかった、未反応の、又は、部分的に反応した縮合反応性基を含んでもよい。更に、１つ以上の縮合反応性基がコアの表面上に留まる場合があり、動力学的、熱力学的、及び／又は立体的理由により、シランの縮合脱離基と反応しない場合があることが、企図される。
【００７１】
粒子自体に戻って言及すると、粒子はサイズ又は形状において、特に限定されない。典型的には、粒子は、当業者によって理解されるとおり、ほぼ球状又は楕円形である。粒子の平均直径（又は平均直径の分布）は、０．１〜１，０００、１〜５００、１〜４５０、１〜４００、１〜３５０、１〜３００、１〜２５０、１〜２００、１〜１５０、１〜１００、１００〜５００、１５０〜４５０、２００〜４００、２５０〜３５０、３００〜３５０、５〜９５、１０〜９０、１５〜８５、２０〜８０、２５〜７５、３０〜７０、３５〜６５、４０〜６０、４５〜５５、５０〜５５、１〜２０、２〜１９、３〜１８、４〜１７、５〜１６、６〜１５、７〜１４、８〜１３、９〜１２、１０〜１１、１〜１０、２〜９、３〜８、４〜７、５〜６、２〜１０、３〜９、４〜８、５〜７、５〜６、５０〜７０、５５〜６５又は６０〜６５マイクロメートルであり得る。粒子の平均直径は、Ｍａｌｖｅｒｎ  Ｍａｓｔｅｒｓｉｚｅｒ（商標）Ｓ等の任意の既知の粒径測定装置を使用して、又は、ある場合には光学顕微鏡及び／若しくは走査型電子顕微鏡法を使用して測定することができる。
【００７２】
更に、シリコーン粒子は、１種以上の添加剤、例えば、これらに限定されるものではないが、防腐剤、殺生物剤、増粘剤、凍結／解凍添加剤、防錆剤、顔料及び当該技術分野において既知の他の添加剤を含んでもよい。
【００７３】
本方法から最終的に形成される粒子、すなわち、粒子上に配置された有機官能性を有し、かつ前述のシランとの組み合わせから形成される粒子は、ヒドロシリル化触媒及び極性液体の存在下で第１、第２及び第３の反応物を組み合わせ、エマルションを形成する工程による方法（ここで、第１、第２及び第３の反応物はヒドロシリル化によって反応し、粒子上に配置された縮合反応性基を有し、かつ極性液体中に配置された粒子を形成する）において先に形成される粒子と、１つ以上の特性を共有し得ることが企図される。しかしながら、この方法から最終的に形成される粒子は、その上に配置された有機官能性を有するのに対し、方法によって先に形成された粒子は、その上に配置されたこの有機官能性を有しない。それでも、有機官能性を除けば、最終的に形成される粒子及び方法において先に形成される粒子は、両者とも上記のとおりであってもよい。例えば、両粒子とも、固体、液体、又はエラストマー、例えば、当該技術分野において、固体及び液体の両方の特性を有するエラストマー化合物として既知のシリコーンゴムであってもよい。両粒子とも、エラストマーであると記述することができる。両粒子とも、ポリオルガノシロキサン粒子、又は、１種以上のポリオルガノシロキサン、若しくは１種以上のシリコーン、若しくは１種以上のシリコーンゴム等である、これらを含む、これらから本質的になる、若しくは、これらからなる粒子であると記述することができる。両粒子とも、前述の第１、第２及び第３の反応物のヒドロシリル化反応生成物である、これを含む、これから本質的になる、又は、これからなる粒子であると記述することができる。様々な実施形態において、用語「から本質的になる」は、シリコーン粒子が、１種以上の有機ポリマー及び／又は非シリコーンポリマーを含まない、又は、これらを１０、９、８、７、６、５、４、３、２、１、０．５、０．１若しくは０．０５重量％未満含むことを記述する。
【００７４】
更に、両粒子とも、同一の、又は、同様のコアを有してもよく、かつコアに結合した有機部分又は有機官能性のみが異なる。例えば、両粒子とも、液体又は固体のコアを有してもよい。両粒子のコアは、固体又は中空であってもよく、かつ上記のような、第１、第２及び第３の反応物のヒドロシリル化反応生成物であり得る、これを含み得る、これから本質的になり得る、又は、これからなり得る。両粒子のコアは、このヒドロシリル化反応生成物であってもよく、かつ任意の他の化合物をその中に含まなくてもよい。両粒子のコアは、前述のヒドロシリル化反応生成物ではない任意の材料のいかなる内部のコアも含まない、固体のコアであると記述することができる。様々な実施形態において、用語「から本質的になる」は、両粒子のコアが、１種以上の有機ポリマー及び／又は非シリコーンポリマーを含まない、又は、これらを１０、９、８、７、６、５、４、３、２、１、０．５、０．１若しくは０．０５重量％未満含むことを記述する。
【００７５】
有機官能性は、当該技術分野における任意のものであり得、かつ上記の有機部分のうちのいずれかであり得る。例えば、有機官能性は、アミノ官能性、第四級アンモニウム官能性、メルカプト官能性、ジスルフィド官能性及びテトラスルフィド官能性、並びにこれらの組み合わせであり得る。
【００７６】
粒子は、エマルション、スラリー若しくは分散体中で使用してもよく、かつ／又は乾燥してもよく、かつ粉末として使用してもよい。あるいは、エマルション、スラリー又は分散体の極性液体は、液体粒子が油を形成するように、除去してもよい。
【００７７】
粒子、エマルション、スラリー及び／又は分散体は、パーソナルケア製品（例えば、シャンプー、デオドラント、ふけ防止製品、口腔ケア組成物等）等の任意の製品中で、抗菌製品中で、抗アクネ製品中で、創傷ケア製品中で、抗真菌製品中で（例えば、足用パウダー又はローション又はスプレー中で）、コーティング中で、化粧料中で、織物中等で使用することができる。粒子の有機官能性に応じて、粒子、エマルション、スラリー及び／又は分散体は、抗菌（ａｎｔｉ−ｂａｃｔｅｒｉａｌ  ｏｒ  ａｎｔｉ−ｍｉｃｒｏｂｉａｌ）特性を呈し得る。あるいは、粒子、エマルション、スラリー及び／又は分散体は、帯電防止特性又は撥水特性を呈し得る。
【００７８】
分散体：
本開示はまた、極性連続相と、極性連続相中に配置された前述のシリコーン粒子とを含む分散体を提供する。上記のとおり、粒子が固体である場合、分散体は、（液体の）極性連続相中に分散した固体粒子を含む。粒子が液体である場合、分散体は、典型的には、液体粒子が（液体の）極性連続層に分散したエマルションであると更に定義される。分散体は、あるいはまた、スラリーであると記述することができる。本明細書に記載又は上記の分散体若しくはエマルションは、上記のような界面活性剤又は１種以上の界面活性剤を含んでもよい。
【００７９】
パーソナルケア組成物：
本開示はまた、パーソナルケア組成物も提供し、これはパーソナルケア製品組成物と記述することもできる。パーソナルケア組成物は、本開示の粒子を含む。パーソナルケア組成物は、クリーム、ゲル、粉末、ペースト又は注ぎやすい液体の形態であってもよい。概して、このような組成物は、室温で固体の材料が組成物中に存在しない場合、単純なプロペラミキサ、Ｂｒｏｏｋｆｉｅｌｄ逆回転ミキサ、又は均質化ミキサを使用して、室温で調製することができる。特別な装置又は加工条件は、典型的には必要ない。製造する形態の種類に応じて調製方法は異なるが、このような方法は当技術分野において公知である。
【００８０】
パーソナルケア組成物は、適用される身体部分に対して機能的なもの、美容的なもの、治療的なもの、又はこれらのいくつかを組み合わせたものであってもよい。このような製品の通常の例としては、これらに限定されるものではないが、制汗剤及びデオドラント、スキンケアクリーム、スキンケアローション、保湿剤、アクネ又はしわ取り等の美顔トリートメント、パーソナル洗料及び洗顔料、バスオイル、香水、オーデコロン、サッシェ、日焼け止め剤、プレシェーブ及びアフターシェーブローション、ひげそり用石鹸並びに剃毛用泡、ヘアシャンプー、ヘアコンディショナー、染毛剤、縮毛矯正剤、ヘアスプレー、ムース、ジェル、パーマネント剤、脱毛剤並びにキューティクルコート剤；化粧、カラー化粧品、ファンデーション、コンシーラー、頬紅、口紅、アイライナー、マスカラ、油脂除去剤、カラー化粧品除去剤並びにパウダー；予防用及び／又は治療用であり得る、抗アクネ剤、歯科衛生剤、抗生物質、治癒促進剤、栄養剤等の薬用クリーム、ペースト又はスプレーが挙げられる。概して、パーソナルケア組成物は、任意の従来の形態、例えば、これらに限定されるものではないが、液体、リンス、ローション、クリーム、ペースト、ジェル、発泡体、ムース、軟膏、スプレー、エアロゾル、石鹸、スティック、軟固形、固体ゲル及びゲル等での適用を可能とする担体と共に配合してもよい。好適な担体は、当該技術分野において理解される。一実施形態において、パーソナルケア組成物は、デオドラント、スキンケア組成物、ヘアケア組成物、創傷ケア組成物又は口腔ケア組成物である。
【００８１】
パーソナルケア組成物は、様々なパーソナル、家庭及びヘルスケア用途において、又は、それらに対して使用することができる。特に、本開示の粒子は、米国特許第６，０５１，２１６号、同第５，９１９，４４１号、同第５，９８１，６８０号、国際公開第２００４／０６０２７１号及び同第２００４／０６０１０１号に記載のパーソナルケア製品に使用してもよく、国際公開第２００４／０６０２７６号に記載の日焼け止め剤組成物に使用してもよく、国際公開第０３／１０５８０１号に記載の皮膜形成樹脂も含有する化粧品組成物に使用してもよく、米国特許出願公開第２００３／０２３５５５３号、同第２００３／００７２７３０号及び同第２００３／０１７０１８８号、欧州特許第１，２６６，６４７号、同第１，２６６，６４８号及び同第１，２６６，６５３号、国際公開第０３／１０５７８９号、同第２００４／０００２４７号及び同第０３／１０６６１４号に記載の化粧品組成物に使用してもよく、国際公開第２００４／０５４５２３号に記載のものへの添加剤として使用してもよく、米国特許出願公開第２００４／０１８００３２号に記載の長持ちする化粧料組成物に使用してもよく、かつ／又は、国際公開第２００４／０５４５２４号に記載の透明若しくは半透明ケア及び／若しくは化粧組成物に使用してもよく、これらは全て、様々な非限定的な実施形態における参照によって本明細書に明示的に組み込まれる。
【００８２】
粒子は、標準的な方法、例えば、粒子をヒトの身体、例えば、皮膚又は毛髪に、アプリケータ、ブラシを用いて塗布する、手で塗布する、流しかける、及び／又は場合によっては組成物を身体上若しくは体内に擦り込む若しくはマッサージすることによって使用することができる。例えば、カラー化粧品の除去方法もまた、洗浄、拭き取り及びピーリング等の、公知の標準的な方法である。皮膚に使用する場合、粒子を、従来の方法、例えば皮膚のコンディショニング用に使用してもよい。有効量の粒子を、皮膚に塗布することができる。このような有効量は、概して１ｍｇ／ｃｍ２〜３ｍｇ／ｃｍ２である。皮膚への適用は、典型的には、粒子を皮膚中に作用させることを含む。皮膚に塗布するためのこの方法は、典型的には、皮膚を有効量の粒子に接触させ、次に粒子を皮膚に擦り込む工程を含む。これらの工程は、所望の効果を達成するために、所望に応じて何度でも繰り返すことができる。
【００８３】
毛髪に対する粒子の使用は、毛髪のコンディショニングのための通常の方法を用いてもよい。毛髪のコンディショニングに対して有効な量の粒子を、毛髪に塗布する。このような有効量は、概して、１ｇ〜５０ｇ、典型的には１ｇ〜２０ｇである。毛髪への適用は、典型的には、毛髪の大部分又は全てを粒子と接触させるように、毛髪全体に粒子を作用させる工程を含む。毛髪コンディショニングのためのこの方法は、典型的には、有効量の粒子を毛髪に塗布し、次に毛髪全体に粒子を作用させる工程を含む。これらの工程は、所望のコンディショニング効果を達成するために、所望に応じて何度でも繰り返すことができる。
【００８４】
粒子に配合され得る添加剤の非限定的な例としては、これらに限定されるものではないが、追加のシリコーン、抗酸化剤、クレンジング剤、着色剤、追加のコンディショニング剤、付着剤、電解質、軟化剤及び油類、剥離剤、発泡促進剤、芳香剤、湿潤剤、保湿剤、殺シラミ薬、ｐＨ調整剤、顔料、防腐剤、殺生物剤、他の溶媒、安定剤、日焼け止め剤、懸濁化剤、なめし剤、他の界面活性剤、増粘剤、ビタミン、植物成分、蝋、レオロジー改質剤、フケ防止剤、抗アクネ剤、抗齲蝕剤、及び創傷治癒促進剤が挙げられる。
【００８５】
シャンプー又はクレンザー等のパーソナルケア組成物は、少なくとも１種のアニオン性洗浄界面活性剤を含んでもよい。これは、シャンプーの配合に典型的に使用される、周知のアニオン性洗浄界面活性剤のいずれかとすることができる。これらのアニオン性洗浄界面活性剤は、シャンプー組成物においてクレンジング剤及び起泡剤として機能することができる。アニオン性洗浄界面活性剤の例としては、アルカリ金属スルホリシネート（ｓｕｌｆｏｒｉｃｉｎａｔｅ）；ヤシ油酸のスルホン化モノグリセリド等の脂肪酸のスルホン化グリセリルエステル；オレイルイセチオン酸ナトリウム（ｓｏｄｉｕｍ  ｏｌｅｙｌｉｓｅｔｈｉａｎａｔｅ）等のスルホン化一価アルコールエステルの塩；オレイルメチルタウリドのナトリウム塩等のアミノスルホン酸のアミド；スルホン酸パルミトニトリル等の脂肪酸ニトリルのスルホン化物；α−ナフタレンモノスルホン酸ナトリウム等のスルホン化芳香族炭化水素；ナフタレンスルホン酸とホルムアルデヒドとの縮合生成物；オクタヒドロアントラセンスルホン酸ナトリウム、ラウリル硫酸ナトリウム、ラウリル硫酸アンモニウム又はラウリル硫酸トリエタノールアミン等のアルカリ金属アルキル硫酸塩；ラウリルエーテル硫酸ナトリウム、ラウリルエーテル硫酸アンモニウム、アルキルアリールエーテル硫酸ナトリウム及びアルキルアリールエーテル硫酸アンモニウム等の８個以上の炭素原子のアルキル基を有する硫酸エーテル；８個以上の炭素原子のアルキル基を１つ以上有するアルキルアリールスルホン酸；アルキルベンゼンスルホン酸アルカリ金属塩、例えば、ヘキシルベンゼンスルホン酸ナトリウム塩、オクチルベンゼンスルホン酸ナトリウム塩、デシルベンゼンスルホン酸ナトリウム塩、ドデシルベンゼンスルホン酸ナトリウム塩、セチルベンゼンスルホン酸ナトリウム塩及びミリスチルベンゼンスルホン酸ナトリウム塩；ポリオキシエチレンアルキルエーテルの硫酸エステル、例えば、ＣＨ３（ＣＨ２）６ＣＨ２Ｏ（Ｃ２Ｈ４Ｏ）２ＳＯ３Ｈ、ＣＨ３（ＣＨ２）７ＣＨ２Ｏ（Ｃ２Ｈ４Ｏ）３．５ＳＯ３Ｈ、ＣＨ３（ＣＨ２）８ＣＨ２Ｏ（Ｃ２Ｈ４Ｏ）８ＳＯ３Ｈ、ＣＨ３（ＣＨ２）１９ＣＨ２Ｏ（Ｃ２Ｈ４Ｏ）４ＳＯ３Ｈ及びＣＨ３（ＣＨ２）１０ＣＨ２Ｏ（Ｃ２Ｈ４Ｏ）６ＳＯ３Ｈ；アルキルナフチルスルホン酸のナトリウム塩、カリウム塩及びアミン塩がある。典型的には、洗浄界面活性剤は、ラウリル硫酸ナトリウム、ラウリル硫酸アンモニウム、ラウリル硫酸トリエタノールアミン、ラウリルエーテル硫酸ナトリウム及びラウリルエーテル硫酸アンモニウムから選択される。アニオン性洗浄界面活性剤は、シャンプー組成物の総重量に基づいて、５〜５０重量％、典型的には５〜２５重量％の量でシャンプー組成物中に存在し得る。
【００８６】
パーソナルケア組成物は、少なくとも１つのカチオン性付着補助剤、典型的にはカチオン性付着ポリマーを含んでもよい。カチオン性付着補助剤は、典型的には０．００１〜５重量％、典型的には０．０１〜１重量％、より典型的には０．０２重量％〜０．５重量％の濃度で存在する。カチオン性付着ポリマーは、ホモポリマーであってもよい、又は、２種類以上のモノマーから生成されてもよい。カチオン性付着ポリマーの分子量は、典型的には、５，０００〜１０，０００，０００、典型的には少なくとも１０，０００、また、典型的には１００，０００〜２，０００，０００である。カチオン性付着ポリマーは、典型的には、第四級アンモニウム若しくはプロトン化したアミノ基又はこれらの組み合わせ等の、カチオン性窒素含有基を有する。カチオン電荷密度は、少なくとも０．１ｍｅｑ／ｇ、典型的には０．８を超えるか、それより高い必要があることが見出されている。カチオン電荷密度は、４ｍｅｑ／ｇを超えるべきではなく、典型的には３未満、より典型的には２ｍｅｑ／ｇ未満である。電荷密度は、ケルダール法を使用して測定することができ、所望の使用ｐＨ（概して３〜９、典型的には４〜８）において、上記の範囲内である。上記の任意及び全ての値又はその間の値の範囲も使用してもよいことが、企図される。カチオン性窒素含有基は、典型的には、カチオン性付着ポリマーの全モノマー単位の一部に置換基として存在する。したがって、カチオン性付着ポリマーがホモポリマーでない場合、カチオン性付着ポリマーは、スペーサー非カチオン性モノマー単位を含むことができる。このようなカチオン性付着ポリマーは、ＣＴＦＡ  Ｃｏｓｍｅｔｉｃ  Ｉｎｇｒｅｄｉｅｎｔ  Ｄｉｒｅｃｔｏｒｙ，３ｒｄ  ｅｄｉｔｉｏｎに記載されており、この記載は、１つ以上の非限定的な実施形態における参照により、本明細書に明示的に組み込まれる。好適なカチオン性付着補助剤としては、例えば、（メタ）アクリルアミド、アルキル及びジアルキル（メタ）アクリルアミド、アルキル（メタ）アクリレート、ビニルカプロラクトン、並びにビニルピロリジン等の、カチオン性アミン又は第四級アンモニウム官能性と水溶性スペーサーモノマーとを有するビニルモノマーのコポリマーが挙げられる。アルキル及びジアルキル置換モノマーは、典型的にはＣ１−Ｃ７アルキル基、より典型的にはＣ１−Ｃ３アルキル基を有する。他の好適なスペーサーとしては、ビニルエステル、ビニルアルコール、無水マレイン酸、プロピレングリコール及びエチレングリコールが挙げられる。カチオン性アミンは、組成物の特定の種及びｐＨに応じて、第一級、第二級又は第三級アミンであり得る。概して、第二級及び第三級アミン、特に第三級アミンが典型的である。アミン置換ビニルモノマー及びアミンは、アミン形態で重合され、次に四級化によってアンモニウムに変換され得る。好適なカチオン性アミノ及び第四級アンモニウムモノマーとしては、例えば、ジアルキルアミノアルキルアクリレート、ジアルキルアミノアルキルメタクリレート、モノアルキルアミノアルキルアクリレート、モノアルキルアミノアルキルメタクリレート、トリアルキルメタクリルオキシアルキルアンモニウム塩、トリアルキルアクリルオキ���アルキルアンモニウム塩、ジアリル第四級アンモニウム塩で置換されるビニル化合物、並びにピリジニウム、イミダゾリウム及び四級化ピロリジン等の環状カチオン性窒素含有環を有するビニル第四級アンモニウムモノマー、例えば、アルキルビニルイミダゾリウム、及び四級化ピロリジン、例えば、アルキルビニルイミダゾリウム、アルキルビニルピリジニウム、アルキルビニルピロリジン塩が挙げられる。これらのモノマーのアルキル部分は、典型的にはＣ１−Ｃ７アルキル、より典型的にはＣ１及びＣ２アルキル等の低級アルキルである。本明細書における使用に好適なアミン置換ビニルモノマーとしては、ジアルキルアミノアルキルアクリレート、ジアルキルアミノアルキルメタクリレート、ジアルキルアミノアルキルアクリルアミド及びジアルキルアミノアルキルメタクリルアミドが挙げられ、ここで、アルキル基は、典型的にはＣ１−Ｃ７ヒドロカルビル、より典型的にはＣ１−Ｃ３アルキルである。カチオン性付着補助剤としては、アミン及び／若しくは第四級アンモニウム置換モノマー、並びに／又は相溶性スペーサーモノマーから誘導されるモノマー単位の組み合わせを挙げることができる。好適なカチオン性沈着補助剤としては、例えば：１−ビニル−２−ピロリジン及び１−ビニル−３−メチルイミダゾリウム塩（例えば、塩化物）のコポリマー（当業界では、ｔｈｅ  Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，「ＣＴＦＡ」により、Ｐｏｌｙｑｕａｔｅｒｎｉｕｍ−１６と呼ばれる）、例えば、ＢＡＳＦ  Ｗｙａｎｄｏｔｔｅ  Ｃｏｒｐ．（Ｐａｒｓｉｐｐａｎｙ，Ｎ．Ｊ．，ＵＳＡ）より商標名ＬＵＶＩＱＵＡＴ（例えばＬＵＶＩＱＵＡＴ  ＦＣ  ３７０）で市販されているもの等；１−ビニル−２−ピロリジン及びジメチルアミノエチルメタクリレートのコポリマー（当業界では、ＣＴＦＡによってＰｏｌｙｑｕａｔｅｒｎｉｕｍ−１１と呼ばれる）、例えば、Ｇａｒ  Ｃｏｒｐｏｒａｔｉｏｎ（Ｗａｙｎｅ，Ｎ．Ｊ．，ＵＳＡ）より商標名ＧＡＦＱＵＡＴ（例えばＧＡＦＱＵＡＴ  ７５５Ｎ）で市販されているもの等；カチオン性ジアリル第四級アンモニウム含有ポリマー、例えば、ジメチルジアリルアンモニウムクロライドホモポリマー並びにアクリルアミド及びジメチルジアリルアンモニウムクロライドのコポリマー、当業界（ＣＴＦＡ）でそれぞれＰｏｌｙｑｕａｔｅｒｎｉｕｍ  ６及びＰｏｌｙｑｕａｔｅｒｎｉｕｍ  ７と呼ばれるもの；米国特許第４，００９，２５６号に記載の、３〜５個の炭素原子を有する不飽和カルボン酸のホモポリマー及びコポリマーのアミノアルキルエステルの鉱酸塩；並びに英国出願第９４０３１５６．４号（国際公開第９５／２２３１１号）に記載のカチオン性ポリアクリルアミドが挙げられ、これらの記載のそれぞれは、１つ以上の非限定的な実施形態において、本明細書に明示的に組み込まれる。使用できる他のカチオン性付着補助剤としては、カチオン性セルロース誘導体及びカチオン性デンプン誘導体等の多糖類ポリマーが挙げられる。本開示の組成物における使用に好適なカチオン性多糖ポリマー材料としては、式：Ａ−Ｏ（Ｒ−−Ｎ＋Ｒ１Ｒ２Ｒ３Ｘ−）［式中、Ａは、デンプン又はセルロース無水グルコース残基等の無水グルコース残基であり、Ｒは、アルキレンオキシアルキレン、ポリオキシアルキレン若しくはヒドロキシアルキレン基、又はこれらの組み合わせであり、Ｒ１、Ｒ２及びＲ３は、独立して、アルキル、アリール、アルキルアリール、アリールアルキル、アルコキシアルキル又はアルコキシアリール基であり、各基は、１８個までの炭素原子を含有し、各カチオン部分における炭素原子の総数（すなわち、Ｒ１、Ｒ２及びＲ３における炭素原子の合計）は、典型的には２０個以下であり、Ｘは、前述のアニオン性対イオンである］のものが挙げられる。カチオン性セルロースは、Ａｍｅｒｃｈｏｌ  Ｃｏｒｐ．（Ｅｄｉｓｏｎ，ＮＪ，ＵＳＡ）より、Ｐｏｌｙｍｅｒ  ｉＲ（商標）及びＬＲ（商標）の一連のポリマーで、当業界（ＣＴＦＡ）でＰｏｌｙｑｕａｔｅｒｎｉｕｍ  １０と呼ばれる、トリメチルアンモニウム置換エポキシドと反応させられたヒドロキシエチルセルロースの塩として入手可能である。別の種類のカチオン性セルロースとしては、当業界（ＣＴＦＡ）においてＰｏｌｙｑｕａｔｅｒｎｉｕｍ  ２４と呼ばれる、ラウリルジメチルアンモニウム置換エポキシドと反応させられたヒドロキシエチルセルロースのポリマー第四級アンモニウム塩が挙げられる。これらの材料は、Ａｍｅｒｃｈｏｌ  Ｃｏｒｐ．（Ｅｄｉｓｏｎ，ＮＪ，ＵＳＡ）より、商標名Ｐｏｌｙｍｅｒ  ＬＭ−２００で入手可能である。使用できる他のカチオン性付着補助剤としては、グアーヒドロキシプロピル塩化トリモニウム等のカチオン性グアーガム誘導体が挙げられる（Ｃｅｌａｎｅｓｅ  Ｃｏｒｐ．より、一連のＪａｇｕａｒ商標で市販されている）。他の材料としては、第四級窒素含有セルロースエーテル（例えば、米国特許第３，９６２，４１８号に記載）、並びにエーテル化セルロース及びデンプンのコポリマー（例えば、米国特許第３，９５８，５８１号に記載）が挙げられ、これらの記載のそれぞれは、１つ以上の非限定的な実施形態における参照により、本明細書に明示的に組み込まれる。
【００８７】
パーソナルケア組成物は、発泡促進剤を含んでもよい。発泡促進剤は、泡の崩壊を遅延する泡安定剤とは対照的に、界面活性剤の一定のモル濃度で、系から利用可能な泡の量を増加させる作用剤である。泡の形成は、発泡促進有効量の発泡促進剤を、水性媒体に加えることによってもたらされる。発泡促進剤は、典型的には、脂肪酸アルカノールアミド及びアミンオキシドから選択される。脂肪酸アルカノールアミドの例としては、イソステアリン酸ジエタノールアミド、ラウリン酸ジエタノールアミド、カプリン酸ジエタノールアミド、ヤシ脂肪酸ジエタノールアミド、リノール酸ジエタノールアミド、ミリスチン酸ジエタノールアミド、オレイン酸ジエタノールアミド、ステアリン酸ジエタノールアミド、ヤシ脂肪酸モノエタノールアミド、オレイン酸モノイソプロパノールアミド及びラウリン酸モノイソプロパノールアミドがある。アミンオキシドの例としては、Ｎ−ココジメチルアミンオキシド、Ｎ−ラウリルジメチルアミンオキシド、Ｎ−ミリスチルジメチルアミンオキシド、Ｎ−ステアリルジメチルアミンオキシド、Ｎ−コカミドプロピルジメチルアミンオキシド、Ｎ−タローアミドプロピルジメチルアミンオキシド、ビス（２−ヒドロキシエチル）Ｃ１２−１５アルコキシプロピルアミンオキシドがある。典型的には、発泡促進剤は、ラウリン酸ジエタノールアミド、Ｎ−ラウリルジメチルアミンオキシド、ヤシ酸ジエタノールアミド、ミリスチン酸ジエタノールアミド及びオレイン酸ジエタノールアミドから選択される。発泡促進剤は、典型的には、組成物の総重量に基づいて、１〜１５重量％、より典型的には２〜１０重量％の量でシャンプー組成物中に存在する。組成物は、起泡性能を改善するために、ポリアルキレングリコールを更に含んでもよい。シャンプー組成物中のポリアルキレングリコールの濃度は、シャンプー組成物の０．０１重量％〜５重量％、典型的には０．０５重量％〜３重量％、より典型的には０．１重量％〜２重量％であり得る。任意選択のポリアルキレングリコールは、一般式：Ｈ（ＯＣＨ２ＣＨＲ）ｎ−ＯＨ（式中、Ｒは、Ｈ、メチル及びこれらの組み合わせから選択される）を特徴とする。ＲがＨであるとき、これらの材料は、エチレンオキシドのポリマーであり、これらはまた、ポリエチレンオキシド、ポリオキシエチレン及びポリエチレングリコールとしても既知である。Ｒがメチルであるとき、これらの材料は、プロピレンオキシドのポリマーであり、これらはまた、ポリプロピレンオキシド、ポリオキシプロピレン及びポリプロピレングリコールとしても既知である。Ｒがメチルであるとき、得られるポリマーの種々の位置異性体が存在し得ることも理解される。上記の構造において、ｎは、平均値１５００〜２５，０００、典型的には２５００〜２０，０００、より典型的には３５００〜１５，０００を有する。本明細書で有用なポリエチレングリコールポリマーは、ＲがＨに等しく、ｎが平均値２，０００であるＰＥＧ−２Ｍ（ＰＥＧ−２ＭはＰｏｌｙｏｘ  ＷＳＲ９  Ｎ−１０としても知られ、Ｕｎｉｏｎ  Ｃａｒｂｉｄｅより入手可能であり、またＰＥＧ−２，０００としても知られる）；ＲがＨに等しく、ｎが平均値５，０００を有するＰＥＧ−５Ｍ（ＰＥＧ−５ＭはＰｏｌｙｏｘ  ＷＳＲＯ  Ｎ−３５及びＰｏｌｙｏｘ  ＷＳＲＳ  Ｎ−８０としても知られ、いずれもＵｎｉｏｎ  Ｃａｒｂｉｄｅより入手可能であり、また、ＰＥＧ−５，０００及びＰｏｌｙｅｔｈｙｌｅｎｅ  Ｇｌｙｃｏｌ  ３００，０００としても知られる）；ＲがＨに等しく、ｎが平均値７，０００を有するＰＥＧ−７Ｍ（ＰＥＧ−７Ｍは、Ｕｎｉｏｎ  Ｃａｒｂｉｄｅより入手可能なＰｏｌｙｏｘ  ＷＳＲＯ  Ｎ−７５０としても知られる）；ＲがＨに等しく、ｎが平均値９，０００を有するＰＥＧ−９Ｍ（ＰＥＧ  ９−Ｍは、Ｕｎｉｏｎ  Ｃａｒｂｉｄｅより入手可能なＰｏｌｙｏｘ  ＷＳＲＳ  Ｎ−３３３３としても知られる）；並びにＲがＨに等しく、ｎが平均値１４，０００を有するＰＥＧ−１４  Ｍ（ＰＥＧ−１４Ｍは、Ｕｎｉｏｎ  Ｃａｒｂｉｄｅより入手可能なＰｏｌｙｏｘ  ＷＳＲＯ  Ｎ−３０００としても知られる）である。他の有用なポリマーとしては、ポリプロピレングリコール及び混合ポリエチレン／ポリプロピレングリコールが挙げられる。
【００８８】
パーソナルケア組成物は、パーソナルケア組成物中に分散した形態で、シリコーンコンディショニング剤又は他の非水溶性材料を懸濁するのに有効な濃度で、懸濁化剤を含んでもよい。このような濃度は、パーソナルケア組成物の０．１重量％〜１０重量％、典型的には０．３重量％〜５．０重量％であり得る。懸濁化剤としては、アシル誘導体、長鎖アミンオキシド及びこれらの組み合わせとして分類できる結晶性懸濁化剤が挙げられ、これらの濃度は、シャンプー組成物の０．１重量％〜５．０重量％、典型的には０．５重量％〜３．０重量％であり得る。これらの懸濁化剤は、米国特許第４，７４１，８５５号に記載されており、この記載は、１つ以上の非限定的な実施形態における参照により、本明細書に明示的に組み込まれる。これらの典型的な懸濁化剤としては、典型的には１６〜２２個の炭素原子を有する脂肪酸のエチレングリコールエステルが挙げられる。より典型的なものは、エチレングリコールステアレート（モノステアレート及びジステアレートの両方）であるが、特にモノステアレートを７％未満含有するジステアレートである。他の好適な懸濁化剤としては、典型的には１６〜２２個の炭素原子、より典型的には１６〜１８個の炭素原子を有する脂肪酸のアルカノールアミドが挙げられ、これらの典型的な例としては、ステアリン酸モノエタノールアミド、ステアリン酸ジエタノールアミド、ステアリン酸モノイソプロパノールアミド及びステアリン酸モノエタノールアミドステアレートが挙げられる。他の長鎖アシル誘導体としては、長鎖脂肪酸の長鎖エステル（例えば、ステアリン酸ステアリル、パルミチン酸セチル等）；グリセリルエステル（例えばグリセリルジステアレート）及び長鎖アルカノールアミドの長鎖エステル（例えば、ステアルアミドジエタノールアミドジステアレート、ステアルアミドモノエタノールアミドステアレート）が挙げられる。上に列挙した典型的な材料に加え、長鎖アシル誘導体、長鎖カルボン酸のエチレングリコールエステル、長鎖アミンオキシド及び長鎖カルボン酸のアルカノールアミドを、懸濁化剤として使用してもよい。例えば、Ｃ８−Ｃ２２鎖を有する長鎖ヒドロカルビルを有する懸濁化剤を使用し得ることが企図される。懸濁化剤としての使用に好適な他の長鎖アシル誘導体としては、Ｎ，Ｎ−ジヒドロカルビルアミド安息香酸及びその可溶性塩（例えば、Ｎａ、Ｋ）、特に、このファミリーのＮ，Ｎ−ジ（水素添加）Ｃ１６、Ｃ１８及びタローアミド安息香酸種が挙げられ、これらは、Ｓｔｅｐａｎ  Ｃｏｍｐａｎｙ（Ｎｏｒｔｈｆｉｅｌｄ，Ｉｌｌ，ＵＳＡ）より市販されている。懸濁化剤としての使用に好適な長鎖アミンオキシドの例としては、アルキル（Ｃ１６〜Ｃ２２）ジメチルアミンオキシド、例えば、ステアリルジメチルアミンオキシドが挙げられる。他の好適な懸濁化剤としては、シャンプー組成物の０．３重量％〜３重量％、典型的には０．４重量％〜１．２重量％の範囲の濃度のキサンタンガムが挙げられる。懸濁化剤としてのキサンタンガムの使用は、例えば、米国特許第４，７８８，００６号に記載されており、この記載は、１つ以上の非限定的な実施形態における参照により、本明細書に明示的に組み込まれる。長鎖アシル誘���体及びキサンタンガムの組み合わせもまた、シャンプー組成物中の懸濁化剤として使用され得る。このような組み合わせは、米国特許第４，７０４，２７２号に記載されており、この記載は、１つ以上の非限定的な実施形態における参照により、本明細書に明示的に組み込まれる。他の好適な懸濁化剤としては、カルボキシビニルポリマーが挙げられる。これらのポリマーのうち典型的なものは、米国特許第２，７９８，０５３号に記載のポリアリルスクロースと架橋したアクリル酸のコポリマーであり、この記載は、１つ以上の非限定的な実施形態における参照により、本明細書に明示的に組み込まれる。これらのポリマーの例としては、Ｂ．Ｆ．Ｇｏｏｄｒｉｃｈ  Ｃｏｍｐａｎｙより入手可能な、Ｃａｒｂｏｐｏｌ  ９３４、９４０、９４１及び９５６が挙げられる。他の好適な懸濁化剤としては、少なくとも１６個の炭素原子を有する脂肪アルキル部分を有する第一級アミンが挙げられるが、これらの例としては、パルミタミン又はステアラミンが挙げられ、並びにそれぞれ少なくとも１２個の炭素原子を有する２つの脂肪アルキル部分を有する第二級アミンが挙げられ、これらの例としては、ジパルミトイルアミン又はジ（水素添加タロー）アミンが挙げられる。更に他の好適な懸濁化剤としては、ジ（水素添加タロー）フタル酸アミド及び架橋無水マレイン酸−メチルビニルエーテルコポリマーが挙げられる。他の好適な懸濁化剤をシャンプー組成物中で使用してもよく、組成物にゲル状粘性を付与することができるもの、例えば、水溶性又はコロイド状水溶性ポリマー、例えば、セルロースエーテル（例えば、メチルセルロース、ヒドロキシブチルメチルセルロース、ヒドロキシプロピルセルロース、ヒドロキシプロピルメチルセルロース、ヒドロキシエチルエチルセルロース及びヒドロキシエチルセルロース）、グアーガム、ポリビニルアルコール、ポリビニルピロリドン、ヒドロキシプロピルグアーガム、デンプン及びデンプン誘導体、並びに他の増粘剤、粘度調整剤及びゲル化剤等が挙げられる。
【００８９】
パーソナルケア組成物は、１種類以上の水溶性皮膚軟化剤を含んでもよく、その例としては、これらに限定されるものではないが、プロピレングリコール及びブチレングリコール等の低分子量脂肪族ジオール、グリセリン及びソルビトール等のポリオール、並びにポリエチレングリコール２００等のポリオキシエチレンポリマーが挙げられる。使用される水溶性軟化剤（複数可）の特定の種類及び量は、組成物の所望の美的特性に応じて異なり、当業者によって容易に決定される。
【００９０】
パーソナルケア組成物は、１種以上の油を、上記のキャリア流体から独立して含んでもよい。本明細書で使用する用語「油」は、実質的に水に不溶性である任意の材料を表す。好適な油としては、これらに限定されるものではないが、ヤシ油等の天然油；鉱油及び水素添加ポリイソブテン等の炭化水素；オクチルドデカノール等の脂肪族アルコール；Ｃ１２−Ｃ１５アルキルベンゾエート等のエステル；プロピレンジペラルゴネート等のジエステル；並びにグリセリルトリオクタノエート等のトリエステル、並びにシリコーン、特にシクロメチコーン及びジメチコーン及びこれらの組み合わせが挙げられる。好適な低粘度油は、２５℃で５〜１００ｍＰＡ．ｓの粘度を有し、概して構造ＲＣＯ−−ＯＲ’（式中、ＲＣＯはカルボン酸基を表し、ＯＲ’はアルコール残基である）を有するエステルである。これらの低粘度油の例としては、イソトリデシルイソノナノエート、ＰＥＧ−４ジヘプタノエート、イソステアリルネオペンタノエート、トリデシルネオペンタノエート、セチルオクタノエート、セチルパルミテート、セチルリシノレエート、セチルステアレート、セチルミリステート、ココ−ジカプリレート／カプレート、デシルイソステアレート、イソデシルオレエート、イソデシルネオペンタノエート、イソヘキシルネオペンタノエート、オクチルパルミテート、ジオクチルマレート、トリデシルオクタノエート、ミリスチルミリステート、オクトドデカノール、若しくはオクチルドデカノールの組み合わせ、アセチル化ラノリンアルコール、セチルアセテート、イソドデカノール、ポリグリセリル−３−ジイソステアレート又はこれらの組み合わせが挙げられる。高粘度表面油は、概して、２５℃で粘度２００〜１，０００，０００ｍＰＡ．ｓ、典型的には粘度１００，０００〜２５０，０００ｍＰＡ．ｓを有する。表面油としては、ヒマシ油、ラノリン及びラノリン誘導体、トリイソセチルシトレート、ソルビタンセスキオレエート、Ｃ１０−１８トリグリセリド、カプリル酸／カプリン酸／トリグリセリド、ヤシ油、トウモロコシ油、綿実油、グリセリルトリアセチルヒドロキシステアレート、グリセリルトリアセチルリシノレエート、グリセリルトリオクタノエート、水素添加ヒマシ油、亜麻仁油、ミンク油、オリーブ油、パーム油、イリッペ脂、菜種油、大豆油、ヒマワリ種子油、タロー、トリカプリン、トリヒドロキシステアリン、トリイソステアリン、トリラウリン、トリリノレイン、トリミリスチン、トリオレイン、トリパルミチン、トリステアリン、クルミ油、コムギ胚芽油、コレステロール又はこれらの組み合わせが挙げられる。油相中の低粘度油対高粘度油の推奨比は、それぞれ１：１５〜１５：１、典型的には１：１０〜１０：１である。本開示の典型的な配合物は、低粘度表面油と高粘度表面油との組み合わせを１〜２０％含む。
【００９１】
流動パラフィン若しくは流動石油等の鉱油、又はペルヒドロスクアレン若しくはアララ油等の動物油、又は代替的に甘扁桃油、カロフィルム油、パーム油、ヒマシ油、アボカド油、ホホバ油、オリーブ油若しくは穀物胚芽油等の植物油を使用してもよい。例えば、ラノリン酸の、オレイン酸の、ラウリン酸の、ステアリン酸の、若しくは、ミリスチン酸のエステル；オレイルアルコール、リノレイル若しくはリノレニルアルコール、イソステアリルアルコール若しくはオクチルドデカノール等のアルコール；又はアルコールの、若しくは、ポリアルコールのアセチルグリセリド、オクタノエート、デカノエート若しくはリシノレエートを使用することも可能である。あるいは、水素添加ヒマシ油、パーム油、若しくはココナツ油、若しくは水素添加タロー等の、２５℃で固体である水素添加油；モノ、ジ、トリ若しくはスクログリセリド；ラノリン；又は２５℃で固体である脂肪族エステルを使用することが可能である。
【００９２】
パーソナルケア組成物は、様々な蝋を含んでもよい。蝋は、概して、大気圧で３５〜１２０℃の融点を有する。この分類の蝋としては、合成蝋、セレシン、パラフィン、オゾケライト、イリッペ脂、蜜蝋、カルナバ、微結晶蝋、ラノリン、ラノリン誘導体、キャンデリラ、カカオバター、セラック蝋、鯨蝋（ｓｐｅｒｍａｃｅｔｉ）、糠蝋、カポック蝋、サトウキビ蝋、モンタン蝋、鯨蝋（ｗｈａｌｅ  ｗａｘ）、ヤマモモ蝋又はこれらの組み合わせが挙げられる。一実施形態において、パーソナルケア組成物は、１０〜３０％の蝋の組み合わせを含む。非シリコーン脂肪性物質として使用可能な蝋としては、蜜蝋等の動物蝋；カルナバ、キャンデリラ、オーリクリー若しくは日本蝋、又はコルク繊維若しくはサトウキビ蝋等の植物蝋；鉱蝋、例えば、パラフィン若しくは亜炭蝋、又は微結晶蝋若しくはオゾケライト；ポリエチレン蝋、及びフィッシャー・トロプシュ合成によって得られる蝋等の合成蝋を挙げることができる。シリコーンワックスの内、ポリメチルシロキサンアルキル、アルコキシ及び／又はエステルを挙げることができる。
【００９３】
パーソナルケア組成物は、粉末を含んでもよい。粉末は、概して、０．０２〜５０マイクロメートルの粒径を有する乾燥した粒子状物質であると定義することができる。粉末は、着色されていても、又は、無着色（例えば、白）でもよい。好適な粉末としては、オキシ塩化ビスマス、雲母チタン、ヒュームドシリカ、球状シリカビーズ、ポリメチルメタクリレートビーズ、微粉化テフロン、窒化ホウ素、アクリレートポリマー、ケイ酸アルミニウム、オクテニルコハク酸デンプンアルミニウム、ベントナイト、ケイ酸カルシウム、セルロース、チョーク、コーンスターチ、珪藻土、フラー土、グリセリルデンプン、ヘクトライト、含水シリカ、カオリン、ケイ酸アルミニウムマグネシウム、炭酸マグネシウム、水酸化マグネシウム、酸化マグネシウム、ケイ酸マグネシウム、トリケイ酸マグネシウム、マルトデキストリン、モンモリロナイト、微結晶性セルロース、米デンプン、シリカ、タルク、雲母、二酸化チタン、ラウリン酸亜鉛、ミリスチン酸亜鉛、ネオデカン酸亜鉛、ロジン酸亜鉛、ステアリン酸亜鉛、ポリエチレン、アルミナ、アタパルジャイト、炭酸カルシウム、ケイ酸カルシウム、デキストラン、カオリン、ナイロン、シリル化シリカ、シルクパウダー、セリサイト、大豆粉、酸化スズ、水酸化チタン、リン酸三マグネシウム、クルミ殻粉末、又はこれらの組み合わせが挙げられる。粉末は、レシチン、アミノ酸、鉱油、シリコーン油若しくは様々な他の作用剤を単独又は組み合わせのいずれかで用いて表面処理してもよく、これにより粉末表面を被覆し、かつ粒子を本質的に疎水性にする。
【００９４】
粉末はまた、有機及び／若しくは無機顔料を含む、又は、これらである場合がある。有機顔料は、概して、Ｄ＆Ｃ及びＦＤ＆Ｃブルー、ブラウン、グリーン、オレンジ、レッド、イエロー等と称されるアゾ、インジゴイド、トリフェニルメタン、アントラキノン及びキサンチン染料等の種々の芳香族型である。無機顔料は、概して、レーキ又は酸化鉄と称される、認定された着色添加剤の不溶性金属塩からなる。粉状着色剤（例えば、カーボンブラック、酸化クロム又は酸化鉄、ウルトラマリン、ピロリン酸マンガン、紺青及び二酸化チタン）、有色顔料との混合物として一般に用いられる真珠光沢剤、又は有色顔料との混合物として一般に用いられ、化粧品業界で通常用いられるいくつかの有機染料を組成物に加えることができる。概して、これらの着色剤は、パーソナルケア組成物の重量に対して０〜２０重量％の量で存在し得る。
【００９５】
粉末状無機又は有機賦形剤もまた、パーソナルケア組成物の重量に対して概して０〜４０重量％の量で加えることができる。これらの粉末賦形剤は、タルク、雲母、カオリン、酸化亜鉛又は酸化チタン、炭酸カルシウム、炭酸マグネシウム、シリカ、球状二酸化チタン、ガラスビーズ、セラミックビーズ、８〜２２個の炭素原子を有するカルボン酸から誘導される金属石鹸、非発泡合成ポリマー粉末、発泡粉末、及び殻物デンプン等の、架橋されていてもよい、又は、架橋されていなくてもよい天然有機化合物由来の粉末から選択することができる。賦形剤は、典型的には、組成物の全重量の０〜３５％、より典型的には５〜１５％の割合で存在してもよい。特に、タルク、雲母、シリカ、カオリン、ナイロン粉末（特にＯＲＧＡＳＯＬ）、ポリエチレン粉末、テフロン、デンプン、窒化ホウ素、ＥＸＰＡＮＣＥＬ（Ｎｏｂｅｌ  Ｉｎｄｕｓｔｒｉｅ）等のコポリマーミクロスフェア、ポリトラップ及びシリコーン樹脂マイクロビーズ（例えば、ＴｏｓｈｉｂａのＴＯＳＰＥＡＲＬ）を挙げることができる。
【００９６】
パーソナルケア組成物は、日焼け止め剤を含んでもよい。日焼け止め剤は、典型的には、２９０〜３２０ｎｍ（ＵＶ−Ｂ領域）の紫外線を吸収し、例えば、限定するものではないが、パラ−アミノ安息香酸誘導体及びオクチルメトキシシンナメート等のシンナメート、並びに３２０〜４００ｎｍの範囲（ＵＶ−Ａ領域）の紫外線を吸収するもの、例えば、ベンゾフェノン及びブチルメトキシジベンゾイルメタンである。日焼け止め剤のいくつかの追加例には、２−エトキシエチルｐ−メトキシシンナメート、アントラニル酸メンチル、サリチル酸ホモメンチル、ｐ−アミノ安息香酸グリセリル、ｐ−アミノ安息香酸イソブチル、ｐ−ジメチルアミノ安息香酸イソアミル、２−ヒドロキシ−４−メトキシベンゾフェノンスルホン酸、２，２’−ジヒドロキシ−４−メトキシベンゾフェノン、２−ヒドロキシ−４−メトキシベンゾフェノン、安息香酸エチルの４−モノ及び４−ビス（３−ヒドロキシ−プロピル）アミノ異性体、並びにｐ−ジメチルアミノ安息香酸２−エチルヘキシルがある。様々な実施形態において、日焼け止め剤は欧州特許出願公開第６７８，２９２（Ａ）号に記載のものであり、この記載は、１つ以上の非限定的な実施形態における参照により、本明細書に明示的に組み込まれる。様々な実施形態において、日焼け止め剤は、少なくとも１種のカルボキシル基又は更に良好にはスルホン酸基を含む。この酸基は、遊離型又は部分的若しくは完全に中和型であり得る。酸官能性を含有する１種以上の親水性日焼け止め剤を使用することが可能である。少なくとも１つのＳＯ３Ｈ基を含有する酸性日焼け止め剤の例としては、より詳細には、３−ベンジリジン−２−カンファースルホン酸誘導体を挙げることができる。特に典型的な化合物はベンゼン−１，４−［ジ（３−メチリデンカンファー−１０−スルホン酸）］である。この日焼け止め剤は広帯域日焼け止め剤で、２８０〜４００ｎｍの波長の紫外線を吸収することができ、吸収極大は３２０〜４００ｎｍ、特に３４５ｎｍである。この日焼け止め剤は酸性型、又はトリエタノールアミン、水酸化ナトリウム及び水酸化カリウムから選択される塩基によって塩化されて使用される。更に、この日焼け止め剤はシス又はトランス型で存在することができる。この日焼け止め剤は商標名Ｍｅｘｏｒｙｌ  ＳＸとして知られている。他の具体例としては、４−（３−メチリデンカンファー）ベンゼンスルホン酸、３−ベンジリデンカンファー−１０−スルホン酸、２−メチル−５−（３−メチリデンカンファー）ベンゼンスルホン酸、２−クロロ−５−（３−メチリデンカンファー）ベンゼンスルホン酸、３−（４−メチル）ベンジリデンカンファー−１０−スルホン酸、（３−ｔ−ブチル−２−ヒドロキシ−５−メチル）ベンジリデンカンファー−１０−スルホン酸、（３−ｔ−ブチル−２−ヒドロキシ−５−メトキシ）ベンジリデンカンファー−１０−スルホン酸、（３，５−ジ−ｔｅｒｔ−ブチル−４−ヒドロキシ）ベンジリデンカンファー−１０−スルホン酸、２−メトキシ−５−（３−メチリデンカンファー）ベンゼンスルホン酸、３−（４，５−メチレンジオキシ）ベンジリデンカンファー−１０−スルホン酸、３−（４−メトキシ）ベンジリデンカンファ���−１０−スルホン酸、３−（４，５−ジメトキシ）ベンジリデンカンファー−１０−スルホン酸、３−（４−ｎ−ブトキシ）ベンジリデンカンファー−１０−スルホン酸、３−（４−ｎ−ブトキシ−５−メトキシ）ベンジリデンカンファー−１０−スルホン酸、２−［４−（カンファーメチリデン）フェニル］ベンズイミダゾール−５−スルホン酸がある。好適な化合物は、米国特許第４，５８５，５９７号、並びに仏国特許第２，２３６，５１５号、同第２，２８２，４２６号、同第２，６４５，１４８号、同第２，４３０，９３８号及び同第２，５９２，３８０号に記載されており、これらの記載のそれぞれは、１つ以上の非限定的な実施形態における参照により、本明細書に明示的に組み込まれる。スルホン基を含有する日焼け止め剤は、ベンゾフェノンのスルホン誘導体、又はＵＶ−Ｂ照射領域で優れた光防護性能を有し、Ｍｅｒｃｋより商標名「Ｅｕｓｏｌｅｘ  ２３２」で販売されている２−フェニルベンズイミダゾール−５−スルホン酸、ベンゼン−１，４−ジ（ベンズイミダゾール−２−イル−５−スルホン酸）、ベンゼン−１，４−ジ（ベンズオキサゾール−２−イル−５−スルホン酸）とすることもできる。親水性日焼け止め剤（複数可）は、本開示による最終組成物中に、パーソナルケア組成物の総重量に対して０．１〜２０重量％、典型的には０．２〜１０重量％であり得る含有量で存在することができる。
【００９７】
ジベンゾイルメタンから誘導される日焼け止め剤、特に４−ｔｅｒｔ−ブチル−４’−メトキシジベンゾイルメタンのような追加の親油性日焼け止め剤を使用することができ、これは高い固有の吸収力を効果的に有する。これらのジベンゾイルメタン誘導体はそれ自体が、ＵＶ−Ａに有効な日焼け止め剤として周知の製品であり、特に仏国特許出願第２，３２６，４０５（Ａ）号及び同第２，４４０，９３３（Ａ）号、並びに欧州特許出願公開第０，１１４，６０７（Ａ）号に記載されている。これらの記載のそれぞれは、１つ以上の非限定的な実施形態における参照により、本明細書に明示的に組み込まれる。４−（ｔｅｒｔ−ブチル）−４’−メトキシジベンゾイルメタンは、現在、Ｇｉｖａｕｄａｎにより「Ｐａｒｓｏｌ  １７８９」の商標名で販売されている。本開示による典型的な別のジベンゾイルメタン誘導体は、４−イソプロピルジベンゾイルメタンであり、この日焼け止め剤はＭｅｒｃｋにより「Ｅｕｓｏｌｅｘ  ８０２０」の商標名で販売されている。同様に、ＵＶ−Ｂ領域における有効性について既知の液体親油性日焼け止め剤であるオクトクリレンが市販されており、特にＢＡＳＦにより「Ｕｖｉｎｕｌ  Ｎ  ５３９」の商標名で販売されている。本開示に用いることができる別の親油性（又は脂溶性）日焼け止め剤としては、ＵＶ−Ｂ吸収剤としても知られ、特にＭｅｒｃｋにより「Ｅｕｓｏｌｅｘ  ６３００」の商標名で販売されているｐ−メチルベンジリデンカンファーも挙げることができる。親油性日焼け止め剤は、本開示による組成物中に、組成物の総重量の０．５〜３０％、典型的には０．５〜２０％であり得る含量で存在することができる。親油性又は親水性有機日焼け止め剤の他の例は、欧州特許出願公開第０，４８７，４０４（Ａ）号に記載されており、この記載は、１つ以上の非限定的な実施形態における参照により、本明細書に明示的に組み込まれる。本開示による化粧品及び／又は皮膚組成物は、被覆（コーティングされた）又は非被覆金属酸化物の顔料又はあるいはナノ顔料（平均一次粒径：概して５ｎｍ〜１００ｎｍ、典型的には１０〜５０ｎｍ）も含有することができ、その例としては、酸化チタン（アモルファス又はルチル及び／若しくはアナターゼ型に結晶化）、酸化鉄、酸化亜鉛、酸化ジルコニウム又は酸化セリウムのナノ顔料が挙げられ、これらは全てそれ自体が周知の光防護剤であり、ＵＶ照射を物理的にブロック（反射及び／又は散乱）することによって機能する。標準的な被覆剤には、更に、アルミナ及び／又はステアリン酸アルミニウム、並びにシリコーンがある。このような被覆又は非被覆酸化金属ナノ顔料は、特に欧州特許出願公開第０，５１８，７７２（Ａ）号及び同第０，５１８，７７３（Ａ）号に記載されており、これらの記載のそれぞれは、１つ以上の非限定的な実施形態における参照により、本明細書に明示的に組み込まれる。
【００９８】
増粘剤をパーソナルケア組成物に使用し、好都合な粘度をもたらすことができる。例えば、２５℃で５００〜２５，０００ｍｍ２／ｓ、又は更に別の方法としては２５℃で３，０００〜７，０００ｍｍ２／ｓの粘度を得ることができる。好適な増粘剤の例としては、アルギン酸ナトリウム、アラビアゴム、ポリオキシエチレン、グアーガム、ヒドロキシプロピルグアーガム；エトキシル化アルコール、例えば、ラウレス−４又はポリエチレングリコール４００；セルロース誘導体、例えば、メチルセルロース、メチルヒドロキシプロピルセルロース、ヒドロキシプロピルセルロース、ポリプロピルヒドロキシエチルセルロース；デンプン及びデンプン誘導体、例えば、ヒドロキシエチルアミロース及びデンプンアミロース；ローカストビーンガム；電解質、例えば、塩化ナトリウム及び塩化アンモニウム；並びに糖類、例えば、フルクトース及びグルコース；並びに糖類の誘導体、例えば、ＰＥＧ−１２０メチルグルコースジオレート；又はこれらのうちの２つ以上の組み合わせが挙げられる。あるいは、増粘剤は、セルロース誘導体、糖誘導体、及び電解質から、又は上記増粘剤のうちの２つ以上の組み合わせ、例えば、セルロース誘導体と任意の電解質、及びデンプン誘導体と任意の電解質との組み合わせから選択される。増粘剤は、使用するとき、シャンプー組成物中に存在し、２５℃で５００〜２５，０００ｍｍ２／ｓの粘度をもたらし得る。あるいは、増粘剤は、パーソナルケア組成物の総重量に基づいて、０．０５〜１０重量％、あるいは０．０５〜５重量％の量で存在し得る。
【００９９】
安定剤も、例えば、エマルションの水相に使用することができる。好適な水相安定剤は、単独で、又は、組み合わせて、１種以上の電解質、ポリオール、エチルアルコール等のアルコール、及び親水コロイドを含むことができる。典型的な電解質は、アルカリ金属塩及びアルカリ土類塩、特に、ナトリウム、カリウム、カルシウム及びマグネシウムの塩化物塩、ホウ酸塩、クエン酸塩及び硫酸塩、並びにアルミニウムクロロハイドレート及びポリ電解質、特にヒアルロン酸及びヒアルロン酸ナトリウムである。安定剤が電解質であるとき、又は、電解質を含むとき、安定剤は、パーソナルケア組成物の０．１〜５重量％、更に代替的には０．５〜３重量％に達する。親水コロイドは、キサンタンガム、カラギーナン又はビーガム等のガム、及びカルボキシメチルセルロース等の増粘剤を含む。グリセリン、グリコール及びソルビトール等のポリオールもまた使用することができる。代替のポリオールは、グリセリン、プロピレングリコール、ソルビトール及びブチレングリコールである。大量のポリオールが使用される場合、電解質を加える必要はない。しかしながら、水相を安定化させるために、電解質、ポリオール及び親水コロイドの組み合わせ、例えば、硫酸マグネシウム、ブチレングリコール及びキサンタンガムを使用するのが典型的である。
【０１００】
遡って言及すると、エマルションは、制汗剤及びデオドラント組成物に、これらに限定されるものではないが、スティック、軟固形、ロールオン、エアロゾル及びポンプスプレーの形態で使用することができる。制汗剤及びデオドラントの一部の例には、塩化アルミニウム、アルミニウムジルコニウムテトラクロロハイドレックスＧＬＹ、アルミニウムジルコニウムテトラクロロハイドレックスＰＥＧ、アルミニウムクロロハイドレックス、アルミニウムジルコニウムテトラクロロハイドレックスＰＧ、アルミニウムクロロハイドレックスＰＥＧ、アルミニウムジルコニウムトリクロロハイドレート、アルミニウムクロロハイドレックスＰＧ、アルミニウムジルコニウムトリクロロハイドレックスＧＬＹ、ヘキサクロロフェン、塩化ベンザルコニウム、アルミニウムセスキクロロハイドレート、重炭酸ナトリウム、アルミニウムセスキクロロハイドレックスＰＥＧ、クロロフィリン−銅錯体、トリクロサン、アルミニウムジルコニウムオクタクロロハイドレート及びリシノール酸亜鉛がある。
【０１０１】
パーソナルケア組成物は、二酸化炭素、窒素、亜酸化窒素等の噴射ガス、ブタン、イソブタン又はプロパン等の揮発性炭化水素、並びにジクロロジフルオロメタン及びジクロロテトラフルオロエタン若しくはジメチルエーテル等の塩素化又はフッ素化炭化水素との組み合わせのエアロゾルの形態とすることができる。
【０１０２】
シリコーン組成物もまた、パーソナルケア組成物に含まれてもよい。例えば、このようなシリコーンとしては、シリコーン流体、ガム、樹脂、エラストマー；シリコーンポリエーテル等のシリコーン界面活性剤及び乳化剤、アミノ官能性シリコーン等の有機官能性シリコーン、並びにアルキルメチルシロキサンが挙げられる。アルキルメチルシロキサンが、本組成物に含まれてもよい。これらのシロキサンポリマーは、概して、典型的には式Ｍｅ３ＳｉＯ［Ｍｅ２ＳｉＯ］ｙ［ＭｅＲＳｉＯ］ｚＳｉＭｅ３（式中、Ｒは、６〜３０個の炭素原子を含有する炭化水素基であり、Ｍｅは、メチルを表し、重合度（ＤＰ）、すなわちｙとｚの合計は３〜５０である）を有する。揮発性及び液体種のアルキルメチルシロキサンの両方を、組成物中で使用することができる。
【０１０３】
上記以外のシリコーンガムもまた、パーソナルケア組成物に含まれてもよい。好適な非限定的なガムとしては、粘度が、２５℃で１，０００，０００ｍｍ２／ｓ（１，０００，０００センチストークス（ｍｍ２／ｓ））超、あるいは２５℃で５，０００，０００ｍｍ２／ｓ（５，０００，０００センチストークス（ｍｍ２／ｓ））超である、不溶性ポリジオルガノシロキサンが挙げられる。これらのシリコーンガムは、典型的には、これらの取り扱いを容易にするのに好適な溶媒にあらかじめ分散された組成物として、販売されている。超高粘度シリコーンもまた、任意成分として含むことができる。これらの超高粘度シリコーンは、典型的には、動粘度が、２５℃で５００万ｍｍ２／ｓ（５００万センチストークス（ｍｍ２／ｓ））を超え、２５℃で最大２０００万ｍｍ２／ｓ（２０００万センチストークス（ｍｍ２／ｓ））である。この種の組成物は、例えば、米国特許第６，０１３，６８２号に記載されており、この記載は、１つ以上の非限定的な実施形態における参照により、本明細書に明示的に組み込まれる。
【０１０４】
シリコーン樹脂もまた、パーソナルケア組成物に含まれてもよい。これらの樹脂は、概して、高度に架橋されたポリマーシロキサンである。架橋は、典型的には、三官能性及び／又は四官能性シランを、製造中に使用される単官能性シラン及び／又は二官能性シランモノマーと共に組み込むことによって得られる。好適なシリコーン樹脂を得るために必要な架橋の程度は、シリコーン樹脂の製造中に組み込まれるシランモノマー単位の特性に応じて異なる。概して、十分なレベルの三官能性及び四官能性シロキサンモノマー単位を有し、したがって剛性又は硬質皮膜まで乾燥させるのに十分なレベルの架橋を有するいずれのシリコーンも、使用することができる。本明細書での適用に好適な市販のシリコーン樹脂は、概して、低粘度の、揮発性又は不揮発性シリコーン流体中で硬化されていない形態で供給される。シリコーン樹脂は、硬化樹脂構造としてよりも、むしろそれらの硬化されていない形態で、本開示の組成物中に組み込まれ得る。
【０１０５】
シリコーンカルビノール液が、パーソナルケア組成物に含まれてもよい。これらの材料は、通常、置換ヒドロカルビル官能性シロキサン液又は樹脂として記述することができ、いくつかは国際公開第０３／１０１４１２（Ａ２）号に記載されており、この記載は、１つ以上の非限定的な実施形態における参照により、本明細書に明示的に組み込まれる。
【０１０６】
水溶性又は水分散性シリコーンポリエーテルもまた、パーソナルケア組成物に含まれてもよい。これらはまた、ポリアルキレンオキシドシリコーンコポリマー、シリコーンポリ（オキシアルキレン）コポリマー、シリコーングリコールコポリマー又はシリコーン界面活性剤としても知られている。これらは、直線熊手型若しくはグラフト型物質、又はＡＢＡ型であることができ、ここで、Ｂはシロキサンポリマーブロックであり、Ａはポリ（オキシアルキレン）基である。ポリ（オキシアルキレン）基は、ポリエチレンオキシド、ポリプロピレンオキシド、又はポリエチレンオキシド／ポリプロピレンオキシド基の混合体からなることができる。ブチレンオキシド又はフェニレンオキシド等の、他のオキシドもまた可能である。
【実施例】
【０１０７】
一連の分散体／エマルション及び粒子を、以下に詳述するように、本開示に従って形成する。シリコーンゴム分散体の粒径は、特記しない限り、Ｍａｌｖｅｒｎ  Ｍａｓｔｅｒｓｉｚｅｒ（商標）Ｓを使用して測定する。
【０１０８】
実施例１（−Ｓｉ（ＯＭｅ）３官能性粒子）
動粘度が１０７ｍｍ２／ｓ（１０７センチストークス）、概算重合度が１００、かつ水素含量がＳｉ−Ｈとして０．０８３％であるメチルハイドロジェン／ジメチルポリシロキサン液５０ｇを、最大量１００ｇのカップに秤取する。続いて、１，５−ヘキサジエン１．８０ｇ及びＳｉＨ化合物：ＨＳｉＭｅ２ＯＳｉＭｅ２Ｃ２Ｈ４Ｓｉ（ＯＭｅ）３  ０．５ｇを加え、可溶性Ｐｔ触媒（ビニル官能性シロキサン中のＰｔジビニルテトラメチルジシロキサン錯体（元素Ｐｔを０．５％当量有する触媒組成物））の約０．２ｇに相当する２滴をピペットから加える。混合物を、ＳｐｅｅｄＭｉｘｅｒ（商標）ＤＡＣ−１５０内で１５〜３０秒間、最高速度で回転させる。
【０１０９】
次に、イソヘキサデシルアルコール（２０）エトキシレート（Ａｒｌａｓｏｌｖｅ（商標）２００）の７０％水溶液（水中に７０％）０．７ｇを、続いてＤＩ水（Ｈ２Ｏ＃１）１０．０ｇを加える。カップを、ＤＡＣ−１５０  ＳｐｅｅｄＭｉｘｅｒ（商標）内で１０〜１２０秒間、最高速度で回転させる。カップの内容物を調べ、混合物がｏ／ｗエマルションに転相したかを観察する。カップを再度最高速度で回転させる。次に、水を３回に分けて漸増式に加えかつ混合する工程において、加える希釈水（Ｈ２Ｏ＃２）の総量が２７ｇとなるように、エマルションを追加の希釈水（Ｈ２Ｏ＃２）で希釈する。試料を、４０〜７５℃のオーブン中に２〜６時間置く。続いてカップを冷やす。
【０１１０】
標準的な実験室用濾紙を備えたブフナー漏斗を使用し、真空濾過によって、粒子を採取する。シリコーンゴム粒子を含む、得られたフィルタケーキを、濾過中にＤＩ水で洗浄する。フィルタケーキをブフナー濾過器から取り出し、ガラス皿に取り、実験室の周囲条件で空気乾燥させる。流量変化が小さくなり、試料が乾燥したことが確認されるまで、試料重量をモニターする。乾燥した粒子を広口瓶に移して保存する。光散乱測定の結果による粒径は以下のとおりである：平均（ＤＶ５０）＝１５μｍ；９０％粒径（９０％  ｏｆ  ｐａｒｔｉｃｌｅｓ  ｌｅｓｓ  ｔｈａｎ）（ＤＶ９０）＝２５μｍ。組成物は、シリコーンエラストマー（シリコーンエラストマーに結合した、−Ｓｉ（ＯＭｅ）３基又は−Ｓｉ（ＯＨ）ｎ基（ｎ＝１、２又は３）のいずれかを有する）の球状の粒子を含む。
【０１１１】
実施例２（−Ｓｉ（ＯＭｅ）３官能性粒子；粒径：７．５μｎｍ）
動粘度が１００ｍｍ２／ｓ（１００センチストークス）、概算重合度が１００、かつ水素含量がＳｉ−Ｈとして０．０８％であるメチルハイドロジェン／ジメチルポリシロキサン液５０ｇを、最大量１００ｇのカップに秤取する。続いて、式（Ｍｅ２ＶｉＳｉＯ）４Ｓｉを有し、粘度が３ｍｍ２／ｓ（３センチストークス）であるビニル官能性シロキサン５．２９ｇ及びＳｉＨ化合物：ＨＳｉＭｅ２ＯＳｉＭｅ２Ｃ２Ｈ４Ｓｉ（ＯＭｅ）３  １．０ｇを加え、可溶性Ｐｔ触媒（ビニル官能性シロキサン中のＰｔジビニルテトラメチルジシロキサン錯体（元素Ｐｔを０．５％当量有する触媒組成物））の約０．２ｇに相当する２滴をピペットから加える。混合物を、ＳｐｅｅｄＭｉｘｅｒ（商標）ＤＡＣ−１５０内で１５〜３０秒間、最高速度で回転させる。
【０１１２】
次に、ラウリルアルコール（４）エトキシレート（Ｂｒｉｊ（商標）３０）０．７６ｇ及びラウリルアルコール（２３）エトキシレート（Ｂｒｉｊ（商標）３５Ｌ）の７２％水溶液１．５７ｇを、続いてＤＩ水（Ｈ２Ｏ＃１）９．８ｇを加える。カップを、ＤＡＣ−１５０  ＳｐｅｅｄＭｉｘｅｒ（商標）内で１０〜１２０秒間、最高速度で回転させる。カップの内容物を調べ、混合物がｏ／ｗエマルションに転相したかを観察する。カップを再度最高速度で回転させる。次に、水を３〜７回に分けて漸増式に加えかつ混合する工程において、加える希釈水（Ｈ２Ｏ＃２）の総量が３４ｇとなるように、エマルションを追加の希釈水（Ｈ２Ｏ＃２）で希釈する。試料を、４０〜７５℃のオーブン中に２〜６時間置く。カップを冷やし、得られたシリコーンゴム分散体の粒径を、Ｍａｌｖｅｒｎ  Ｍａｓｔｅｒｓｉｚｅｒ（商標）Ｓを使用して測定する。光散乱測定の結果による粒径は以下のとおりである：平均（ＤＶ５０）＝７．５μｍ。
【０１１３】
粒子を得て、実施例１におけるのと同一の手順を適用して乾燥した。組成物は、シリコーンエラストマー（シリコーンエラストマーに結合した、−Ｓｉ（ＯＭｅ）３基又は−Ｓｉ（ＯＨ）ｎ基（ｎ＝１、２又は３）のいずれかを有する）の球状の粒子を含む。
【０１１４】
実施例３（カチオン官能性粒子）：
実施例１に記載したものと同一の手順を使用し、−Ｓｉ（ＯＭｅ）３官能性を有する粒子の分散体を調製する。粒子を採取し、第四級アンモニウム官能性シランで処理する。
【０１１５】
動粘度が１０７ｍｍ２／ｓ（１０７センチストークス）、概算重合度が１００、かつ水素含量がＳｉ−Ｈとして０．０８３％であるメチルハイドロジェン／ジメチルポリシロキサン液２５０ｇを、最大量５００ｇのカップに秤取する。続いて、１，５−ヘキサジエン９．３６ｇ及びＳｉＨ化合物：ＨＳｉＭｅ２ＯＳｉＭｅ２Ｃ２Ｈ４Ｓｉ（ＯＭｅ）３  ４．１４ｇを加え、可溶性Ｐｔ触媒（ビニル官能性シロキサン中のＰｔジビニルテトラメチルジシロキサン錯体（元素Ｐｔを０．５％当量有する触媒組成物））の約０．２ｇに相当する８滴をピペットから加える。混合物を、ＳｐｅｅｄＭｉｘｅｒ（商標）ＤＡＣ−６００内で１５〜３０秒間、最高速度で回転させる。
【０１１６】
次に、ラウリルアルコール（４）エトキシレート（Ｂｒｉｊ（商標）３０）３．０ｇ及びラウリルアルコール（２３）エトキシレート（Ｂｒｉｊ（商標）３５Ｌ）の７２％水溶液６．０ｇをカップに秤取し、続いて脱イオン（ＤＩ）水（Ｈ２Ｏ＃１）６５ｇを加える。カップを閉じ、最高速度（２３５０ＲＰＭ）で２分間回転する。希釈水（Ｈ２Ｏ＃２）を、Ｈ２Ｏ＃２の総量１４１ｇが加えられるまで、約４５ｇずつに分け、加えた後にその都度混合する工程を設け、漸増式に加える。エマルションをオーブンに移し、４０〜７５℃で２〜６時間保持する。試料をオーブンから取り出し、冷やした後、Ｍａｌｖｅｒｎ  Ｍａｓｔｅｒｓｉｚｅｒ（商標）Ｓを使用して粒径を測定する。粒子を、真空濾過によって採取する。濾過の際、粒子のフィルタケーキを、ＤＩ水２５０ｇずつに分け、２回洗浄する。湿ったフィルタケーキをガラス更に移し、試料重量が著しく変化せず、乾燥したものとみなし得るまで、実験室の周囲条件で乾燥させる。
【０１１７】
粒子（２３３．５８ｇ）を１クォートの広口瓶に移し、メタノール１９０ｇを加え、粒子と混合してスラリーを形成する。次に、ｎ−オクタデシルジメチル［３−トリメトキシシリルプロピル］塩化アンモニウムの５０％メタノール溶液４．６７ｇを追加のメタノール１５ｇ中で希釈し、広口瓶中に入っているスラリーに加える。広口瓶に蓋をし、スラリーを激しく１〜２分間振とうした後、広口瓶ローラー上で１〜２時間回転させる。広口瓶の内容物を清潔なガラス皿に空け、換気フード内で２０〜３６時間、実験室の周囲条件でメタノールを蒸発させる。粒子の一部は、凝集して大きな塊になる。これらを、スパチュラ又は平らな道具で、穏やかに押し付けて粉砕する。粒子を４０〜７５℃のオーブン中で１〜４時間更に乾燥し、最後に広口瓶に移して保存する。この組成物は、１重量％第四級アンモニウム官能性シランによって処理された、シリコーンエラストマーの粒径約３０μｍの球状の粒子を含む。
【０１１８】
実施例４（カチオン官能性粒子）
実施例２に記載したものと同一の手順を使用し、−Ｓｉ（ＯＭｅ）３官能性を有する、採取及び乾燥した粒子２３８．０ｇをメタノール１８０ｇ中に分散する。ｎ−オクタデシルジメチル［３−トリメトキシシリルプロピル］塩化アンモニウムの５０％メタノール溶液２．３８ｇをメタノール２０ｇで更に希釈し、スラリー化した粒子に加え、組成物を約１〜５分間激しく振とうする。スラリーをガラス皿に注ぎ込み、換気したドラフト内で２０〜３６時間、周囲条件で乾燥させる。塊を軽く粉砕し、粒子を４０〜７５℃のオーブン中で１〜４時間乾燥した後、粒子をガラス製広口瓶に移し、保存する。これらの粒子は、０．５重量％第四級アンモニウム官能性シランで処理された、粒径約３０μｍの球状のシリコーンエラストマー粒子を含む。
【０１１９】
実施例５（カチオン官能性粒子）
実施例２に記載したものと同様の手順を使用し、−Ｓｉ（ＯＭｅ）３官能性を有する乾燥した粒子２２５．９ｇを、動粘度が１０７ｍｍ２／ｓ（１０７センチストークス）、概算重合度が１００、かつ水素含量がＳｉ−Ｈとして０．０８３％であるメチルハイドロジェン／ジメチルポリシロキサン液２５０ｇと、１，５−ヘキサジエン９．４ｇと、ＨＳｉＭｅ２ＯＳｉＭｅ２Ｃ２Ｈ４Ｓｉ（ＯＭｅ）３  ２．７５ｇと、可溶性Ｐｔ触媒（ビニル官能性シロキサン中のＰｔジビニルテトラメチルジシロキサン錯体（元素Ｐｔを０．５％当量有する触媒組成物））の約０．２ｇに相当するピペットからの８滴と、イソヘキサデシルアルコール（２０）エトキシレート（Ａｒｌａｓｏｌｖｅ（商標）２００）の７０％水溶液（水中に７０％）６．０ｇと、Ｈ２Ｏ＃１を６５ｇと、Ｈ２Ｏ＃２を１３９ｇとの調製から得る。採取し、乾燥した粒子をメタノール１８０ｇと、（ＭｅＯ）３Ｓｉ（ＣＨ２）３Ｎ＋Ｍｅ３−Ｃｌの５０％メタノール溶液４．２８ｇをメタノール２０ｇで更に希釈した溶液とによってスラリー化する。スラリーを約１〜５分間激しく振とうした後、ガラス皿に注ぎ込み、換気したドラフト内で２０〜３６時間、実験室の周囲条件で乾燥させる。塊を粉砕し、粒子を１〜４時間、４０〜７５℃のオーブンで更に乾燥する。この材料は、平均粒径が約３０μｍで、１重量％のカチオン性シラン（ＭｅＯ）３Ｓｉ（ＣＨ２）３Ｎ＋Ｍｅ３−Ｃｌで処理された球状のシリコーン粒子を含む。
【０１２０】
実施例６（アニオン官能性粒子）：
実施例２に記載したものと同一の手順を使用し、−Ｓｉ（ＯＭｅ）３官能性を有する、採取及び乾燥した粒子２２５．９ｇをメタノール１８０ｇ中に分散する。メタノール２０ｇに溶解したＮ−（２−アミノエチル）−３−アミノプロピルトリメトキシシラン２．２６ｇをスラリー化した粒子に加え、組成物を約１〜５分間激しく浸透する。スラリーをガラス皿に注ぎ込み、換気フード内で２０〜３６時間、周囲条件で乾燥させる。塊を軽く粉砕し、粒子を４０〜７５℃のオーブン中で１〜４時間乾燥した後、粒子をガラス製広口瓶に移し、保存する。これらの粒子は、１．０重量％アミノ官能性シランで処理された、粒径約３０μｍの球状のシリコーンエラストマー粒子を含む。
【０１２１】
実施例７（ジスルフィド官能性粒子）：
実施例１に記載したものと同様の手順を使用し、−Ｓｉ（ＯＭｅ）３機能性粒子を調製し、１％［（ＭｅＯ）３ＳｉＣ２Ｈ６］２Ｓ−Ｓで処理する。動粘度が１０７ｍｍ２／ｓ（１０７センチストークス）、概算重合度が１００、かつ水素含量がＳｉ−Ｈとして０．０８３％であるメチルハイドロジェン／ジメチルポリシロキサン液２５０ｇを、最大量５００ｇのカップに秤取する。続いて、１，５−ヘキサジエン９．３６ｇ及びＳｉＨ化合物：ＨＳｉＭｅ２ＯＳｉＭｅ２Ｃ２Ｈ４Ｓｉ（ＯＭｅ）３  ５．０ｇを加え、可溶性Ｐｔ触媒（ビニル官能性シロキサン中のＰｔジビニルテトラメチルジシロキサン錯体（元素Ｐｔを０．５％当量有する触媒組成物））の約０．２ｇに相当する８滴をピペットから加える。混合物を、ＳｐｅｅｄＭｉｘｅｒ（商標）ＤＡＣ−６００内で１５〜３０秒間、最高速度で回転させる。
【０１２２】
イソヘキサデシル（２０）エトキシレート（Ａｒｌａｓｏｌｖｅ（商標）２００）の７０％水溶液３．１ｇ、続いて脱イオン（ＤＩ）水（Ｈ２Ｏ＃１）９０ｇを、カップに秤取する。カップを閉じ、最高速度（２３５０ＲＰＭ）で２分間回転する。希釈水（Ｈ２Ｏ＃２）を、Ｈ２Ｏ＃２の総量１２１ｇが加えられるまで、約４０ｇに分け、加え終わるごとに、間に混合する工程を設け、漸増的に加える。組成物を、４０〜７５℃のオーブン中に２〜６時間置く。エマルションが冷えた後に、粒径を測定する。
【０１２３】
実施例２に記載したものと同一の手順を使用し、粒子を採取し、乾燥し、メタノールでスラリー化し、メタノール２０ｇ中の、粒子の１重量％のスルフィドシラン［（ＭｅＯ）３ＳｉＣ２Ｈ６］２Ｓ−Ｓを加える。実施例２に記載したものと同一の手順を使用し、スラリー化した粒子を処理及び乾燥する。乾燥し、回収した最終的な組成物は、１％のジスルフィドシラン［（ＭｅＯ）３ＳｉＣ２Ｈ６］２Ｓ−Ｓで処理された、約５０μｍの球状のシリコーン粒子を含む。
【０１２４】
実施例８（テトラスルフィド官能性粒子）：
実施例６に記載したものと同一の手順を使用し、１％のテトラスルフィドシラン［（ＭｅＯ）３ＳｉＣ２Ｈ６］２Ｓ−Ｓ−Ｓ−Ｓで処理された、約５０μｍの球状のシリコーン粒子を含む組成物を調製する。
【０１２５】
実施例９（カチオン性粒子）：
実施例１に記載したものと同様の手順を使用し、−Ｓｉ（ＯＭｅ）３官能性を有する粒子を調製する。これらの粒子を、水中で、カチオン性シランによって処理する。動粘度が１０７ｍｍ２／ｓ（１０７センチストークス）、概算重合度が１００、かつ水素含量がＳｉ−Ｈとして０．０８３％であるメチルハイドロジェン／ジメチルポリシロキサン液２５０ｇを、最大量１００ｇのカップに秤取する。続いて、１，５−ヘキサジエン９．３６ｇ及びＳｉＨ化合物：ＨＳｉＭｅ２ＯＳｉＭｅ２Ｃ２Ｈ４Ｓｉ（ＯＭｅ）３  ５．０ｇを加え、可溶性Ｐｔ触媒（ビニル官能性シロキサン中のＰｔジビニルテトラメチルジシロキサン錯体（元素Ｐｔを０．５％当量有する触媒組成物））の約０．２ｇに相当する８滴をピペットから加える。混合物を、ＳｐｅｅｄＭｉｘｅｒ（商標）ＤＡＣ−６００内で１０〜３０秒間、最高速度（２３５０ＲＰＭ）で回転させる。
【０１２６】
次に、イソヘキサデシルアルコール（２０）エトキシレート（Ａｒｌａｓｏｌｖｅ（商標）２００）の７０％水溶液（水中に７０％）３．１３ｇを、続いてＤＩ水（Ｈ２Ｏ＃１）７０．０ｇを加える。カップを、ＤＡＣ−６００  ＳｐｅｅｄＭｉｘｅｒ（商標）内で２分間、最高速度で回転させる。Ｈ２Ｏ＃２の総量１４２ｇを３回に分けて漸増的に加え、加えた後にその都度短時間混合する。最後の追加及び回転後に、カップの内容物を１クォートの広口瓶に移し、４０〜７５℃のオーブン中に置く。オーブン中に２〜６時間置いた後、広口瓶を取り出し、内容物を室温まで冷やす。粒径を測定し、約３５μｍ（平均）であることを見出す。ｎ−オクタデシルジメチル［３−トリメトキシシリルプロピル］塩化アンモニウムの５０％メタノール溶液２．６４ｇをＤＩ水２０ｇに溶解し、得られた溶液を、−Ｓｉ（ＯＭｅ）３官能化シリコーン粒子の水性分散液に加える。エマルションを約２〜５分間手で振り混ぜ、広口瓶ローラー上で１〜３時間回転させた後、真空濾過器を使用して組成物を濾過する。フィルタケーキをＤＩ水で洗浄した後、ガラス皿に移す。粒子を実験室の周囲条件で２０〜３６時間乾燥した後、３０〜５０℃のオーブン中で１〜４時間、試料重量が著しく変化しなくなるまで乾燥する。
【０１２７】
この組成物は、０．５％の（ＭｅＯ）３Ｓｉ（ＣＨ２）３Ｎ＋Ｍｅ２Ｃ１８Ｈ３７−Ｃｌで処理された、直径約１７μｍの球状のシリコーン粒子を含む。この組成物は、シランを水性媒体中の粒子に加えるという点で実施例２の組成物とは異なり、これによって、実施例２の組成物、シラン及び粒子は、非水性のメタノールを含有するスラリー中で組み合わされる。
【０１２８】
実施例１０（エタノールスラリー中のカチオン官能性粒子）
実施例１に記載したものと同一の手順を使用し、採取及び乾燥した、−Ｓｉ（ＯＭｅ）３機能性を有する粒子５３．９ｇを、清潔な、最大量１００ｇのカップに移し、標準強度２００のエタノール２０〜５０ｇを加え、粒子と混合してスラリーを形成する。次に、ｎ−オクタデシルジメチル［３−トリメトキシシリルプロピル］塩化アンモニウムの５０％メタノール溶液０．５４ｇをスラリーに加え、スパチュラを使って手で混合した後、２０〜５０秒間十分に回転させて混合する。スラリーを清潔なガラス皿に空け、換気フード内で１５〜３６時間、実験室の周囲条件でエタノールを蒸発させる。粒子の一部は、凝集して大きな塊になる。これらを、スパチュラ又は平らな道具で、穏やかに押し付けて粉砕する。粒子を４０〜７５℃のオーブン中で１〜４時間更に乾燥し、最後に広口瓶に移して保存する。この組成物は、０．５重量％第四級アンモニウム官能性シランで処理された、シリコーンエラストマーの球状の粒子を含む。
【０１２９】
前述の実施例は、構成成分を乳化して粒子を形成し、各粒子内の構成成分を反応させて架橋されたシロキサンポリマーを形成することにより、粒子が、反応性シロキサン構成成分からどのように形成されるかを示す。架橋されたシロキサンポリマーの粒子もまた、ケイ素上に、アルコキシ等の反応性基を含有する。粒子を有機官能性シランと組み合わせ、各粒子内のポリマーに結合したケイ素上のアルコキシ基を介してシランを粒子と反応させることによって、粒子は更に官能化される。最終結果として得られるのは、粒子のポリマーネットワークに共有結合した有機官能性を有する粒子である。
【０１３０】
上記の値の１つ以上は、変動が本開示の範囲内に留まる限り、±５％、±１０％、±１５％、±２０％、±２５％等で変動してもよい。マーカッシュ群の各要素からは、他の全ての要素から独立して予期せぬ結果が得られる可能性がある。各要素は、それぞれ個々にかつ／又は組み合わせにおいて依存し得るものであり、特許請求の範囲内において具体的な実施形態に適切な裏付けを与える。独立請求項及び従属請求項の全ての組み合わせの主題は、単独従属でも、複数従属でも、本発明において明示的に企図される。本開示は、説明の文言を含めて限定なものではなく、例示的なものである。本開示は上記の記載事実に照らして多くの改変及び変更が可能であり、また本開示は本願に具体的に記載したものと異なる形で実施することが可能である。
【図１】
0006655083.tif 000002
【図２】
0006655083.tif 000003
【図３Ａ】
0006655083.tif 000004
【図３Ｂ】
0006655083.tif 000005